(57)【要約】  利用者に対して商品又は役務の提供者の信用を担保しつつ商品又は役務を購入することができる方法、サーバ、端末、及びシステムを提供すること。  利用者端末２０ａは、サーバ１０から商品又は役務に関するデータを受信し、利用者端末２０ａに出力する。利用者端末２０ａは、出力した商品又は役務に関するデータの選択を受け付けたことに応じて、選択を示す選択データを、利用者を特定するデータと共にサーバ１０に送信する。サーバ１０は、受信した選択データに基づき、提供者ＤＢ１８を検索することにより提供者を特定する。サーバ１０は、受信した利用者を特定するデータを、特定した提供者端末２０ｂに送信する。提供者端末２０ｂは、利用者を特定するデータを受信したことに応じて、提供者端末２０ｂが有するカメラ２２により撮影した提供者の肖像を含む画像データを送信し、利用者端末２０ａは画像データを出力する。
2008099481.tif 000002
【特許請求の範囲】
【請求項１】
ネットワークを介して接続された複数の端末により商品又は役務の提供を行う方法であって、
前記複数の端末と前記ネットワークを介して接続されるサーバは、商品又は役務の提供者が取扱う前記商品又は役務に関するデータを、前記提供者を示すデータと関連付けてデータベースに記憶しており、
利用者による端末の操作に基づき、前記利用者の端末が、前記サーバから前記商品又は役務に関する照会結果データを受信し、前記利用者の端末が有する出力手段に出力するステップと、
前記利用者の端末が、出力した前記照会結果データから一の前記商品又は役務に関するデータの選択を受け付けたことに応じて、前記選択を示す選択データを、前記利用者を特定するデータと共に前記サーバに送信するステップと、
前記サーバが、受信した前記選択データに基づき、前記データベースを検索することにより前記提供者を特定するステップと、
前記サーバが、受信した前記利用者を特定するデータを、特定した前記提供者の端末に送信するステップと、
前記提供者の端末が、前記利用者を特定するデータを受信したことに応じて、前記提供者の端末が有する撮影手段により撮影した前記提供者の肖像を含む画像データを、前記利用者の端末に送信するステップと、
前記利用者の端末が、受信した前記画像データを前記出力手段に出力するステップと、を含む方法。
【請求項２】
前記データベースは、前記商品又は役務の提供を受けることができる利用者を会員として登録した会員データを有しており、
前記サーバが、受信した前記利用者を特定するデータに基づき前記利用者の前記会員データが存在するか否かを判断するステップと、
前記サーバが、前記利用者の前記会員データが存在する場合にのみ、受信した前記利用者を特定するデータを、前記提供者の端末に送信するステップと、を含む、請求項１記載の方法。
【請求項３】
撮影した前記画像データは、逐次に前記利用者の端末に送信され、前記出力手段に出力される、請求項１又は２記載の方法。
【請求項４】
前記利用者の端末は、撮影手段を有し、
前記撮影手段により撮影された画像データは、逐次に前記提供者の端末に送信され、前記提供者の端末が有する出力手段に出力される、請求項１乃至３記載の方法。
【請求項５】
前記提供者の端末が送信する画像データは、前記撮影手段により撮影した前記商品又は役務に関する画像データを更に含む、請求項１乃至４記載の方法。
【請求項６】
前記提供者の端末は、音声の入力を受け付ける音声入力手段を有し、
前記提供者の端末が、前記画像データと共に前記音声入力手段により入力された音声データを送信するステップを含む、請求項１乃至５記載の方法。
【請求項７】
前記提供者の端末は、文字の入力を受け付ける文字入力手段を有し、
前記提供者の端末が、前記画像データと共に前記文字入力手段により入力された文字データを送信するステップを含む、請求項１乃至６記載の方法。
【請求項８】
前記サーバ又は前記提供者の端末が、入力された前記文字データを、異なる言語に翻訳した文字データに変換するステップを含む、請求項７記載の方法。
【請求項９】
前記利用者の端末は、文字の入力を受け付ける文字入力手段を有し、
前記提供者の端末が、入力された前記文字データを逐次に前記利用者の端末に送信するステップと、
前記利用者の端末が、前記文字入力手段により入力された前記文字データを、逐次に前記提供者の端末に送信するステップと、を含む、請求項７又は８記載の方法。
【請求項１０】
前記提供者の端末が前記利用者の端末に送信するステップにおいて、前記提供者の端末と前記利用者の端末とが直接接続することによりピアツーピア通信を行う、請求項１乃至９記載の方法。
【請求項１１】
前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記サーバが、前記利用者の端末から受信した商品又は役務に関するビデオ選択データに基づいて前記提供者の肖像を含むビデオデータを抽出し、前記利用者の端末に送信するステップと、
前記利用者の端末が、送信された前記提供者の肖像を含むビデオデータを受信し、前記利用者の端末の前記出力手段に出力するステップと、を更に含む、請求項１乃至１０記載の方法。
【請求項１２】
前記商品又は役務の売買が成立した場合に、前記利用者の端末及び前記提供者の端末が、前記サーバと決済に関するデータの送受信を行うステップと、
前記サーバが、受信した前記決済に関するデータに基づき、商品又は役務の売買に関する決済を行うステップと、を更に含み、
前記決済を行うステップにおいて、前記利用者から送信された前記商品又は役務の売買による支払金額を示す金額データに基づき決済を行う、請求項１乃至１１記載の方法。
【請求項１３】
前記金額データが日本円のデータである、請求項１２記載の方法。
【請求項１４】
前記商品又は役務は、前記商品ごと、又は前記役務の提供の都度、品質が異なるものを含む、請求項１乃至１３記載の方法。
【請求項１５】
前記役務は、各種専門家による相談の提供を含む、請求項１乃至１４記載の方法。
【請求項１６】
前記利用者の端末から、前記ネットワークを介して実施する前記各種専門家の一に対する相談に関して、通訳の希望を示すデータを少なくとも含む相談申込データを受信したことに応じて、前記サーバが、前記相談申込データを他の利用者の端末から閲覧可能に前記データベースに記憶するステップと、
前記相談申込データを閲覧した前記他の利用者の端末から、前記通訳を応諾するデータを受信したことに応じて、前記サーバが、前記利用者の端末と、前記各種専門家の一の端末と、前記通訳を応諾した前記他の利用者の端末と、を少なくとも接続して前記相談申込データに係る相談を記録しながら実施するステップと、を含む、請求項１５記載の方法。
【請求項１７】
前記相談申込データに係る相談を実施した前記利用者の端末と、前記提供者の端末とから、公開を許可するデータを受信したことに応じて、前記サーバが、前記相談を記録したデータを前記他の利用者の端末から視聴可能に記憶するステップと、
前記相談を記録したデータを視聴した他の利用者の端末から、前記相談の内容の他国語への翻訳データを受信したことに応じて、前記サーバが、前記翻訳データを前記他の利用者の端末からアクセス可能に記憶するステップと、を含む、請求項１６記載の方法。
【請求項１８】
前記相談を記録したデータを視聴した他の利用者の端末から、前記相談の内容の各国語の文字データを受信したことに応じて、前記サーバが、前記文字データを前記他の利用者の端末からアクセス可能に記憶するステップと、を含む、請求項１５乃至１７記載の方法。
【請求項１９】
前記サーバが、サポート団体のシステムと接続して該サポート団体からの各種情報を前記データベースに蓄積し、利用者の端末からの要求に応じて、前記各種情報を前記利用者の端末に送信する支援企業・ＮＰＯ提携ステップを更に含む、請求項１乃至１８記載の方法。
【請求項２０】
前記サーバが、各種専門機関のシステムと接続して受信した情報を前記データベースに蓄積し、利用者の端末からの要求に応じて、窓口相談を受け付けて当該情報を提供するために前記利用者の端末に送信する専門家アドバイス支援サポートステップを更に含む、請求項１乃至１９記載の方法。
【請求項２１】
前記サーバが、利用者及び各種支援団体の端末とシステム間をＩＰ通話により接続し、各種支援団体から得られた情報を各種情報サービスとしてＩＰ通話により提供するコールセンタ業務・情報サービスステップを更に含む、請求項１乃至２０記載の方法。
【請求項２２】
前記サーバが、多国語サポートによる全国・海外からの観光誘致事業を展開する観光会社のシステムと接続して受信した情報を前記データベースに蓄積し、利用者の端末からの要求に応じて希望する情報を前記利用者の端末に送信する地域観光誘致事業展開ステップを更に含む、請求項１乃至２１記載の方法。
【請求項２３】
前記サーバが、前記提携企業のシステムと接続してリクルート情報の授受を行い前記利用者の端末からの要求に応じて、前記リクルート情報を送信する人材派遣・リクルート提供ステップを更に含む、請求項１乃至２２記載の方法。
【請求項２４】
前記データベースの各種情報に基づいて、前記サーバが、子育て関連情報誌を発行するためのデータを出力する子育て情報誌発行ステップを更に含む、請求項１乃至２３記載の方法。
【請求項２５】
前記サーバが、行政機関のシステムと接続して受信した父子・母子健康手帳の内容を表すデータ及びそのスケジュール管理情報を前記データベースに記憶すると共に、該スケジュール管理情報に基づき利用者の端末を介して利用者と情報の授受を行い得られた情報を前記データベースに蓄積する父子・母子健康手帳管理ステップを更に含む、請求項１乃至２４記載の方法。
【請求項２６】
前記父子・母子健康手帳管理ステップにおいて、前記サーバが、前記利用者の端末からの要求に応答し、前記スケジュール管理情報に基づき、前記データベースに保存された父子・母子健康手帳の内容から該当する情報を取り出して入力画面を示すデータを生成して前記利用者の端末に送信し、前記利用者の端末から受信した入力情報を前記データベースに保存すると共に、前記利用者の端末から受信した入力情報に基づいて図形化又はグラフ化された表示画面を生成する必要がある場合は、前記利用者の端末から入力情報を受信した際に、その情報に関する図形又はグラフを生成しイメージデータとして予め前記データベースに保存しておき、前記利用者の端末から要求があった際に、該イメージデータを出力画面を示すデータに組み込んで前記利用者の端末に送信する、請求項２５記載の方法。
【請求項２７】
前記サーバが、前記会員の会員カードを発行するためのデータを生成し、発行された会員の情報を管理するカード発行・管理ステップを更に含む、請求項２記載の方法。
【請求項２８】
前記サーバが、行政機関のシステムと接続して受信した行政サービス情報を前記データベースに蓄積し、前記行政サービス情報を通知するためのデータを前記利用者の端末からの要求に応じて送信すると共に、医療機関のシステムと接続して会員情報の授受を行い、前記会員カードの利用により前記医療機関において医療費のカード決済を行う医療機関・行政サービス支援ステップを更に含む、請求項２７記載の方法。
【請求項２９】
前記サーバが、地域内で支援可能な企業を認定して提携を図り、該提携企業のシステムから日々の情報を受信して前記データベースに蓄積し、前記利用者の端末からの要求に応じて、各種サービスを前記会員カードの利用に応じて蓄積・記憶したポイントによる決済により提供する地域企業認定・提携ステップを更に含む、請求項２７又は２８記載の方法。
【請求項３０】
前記会員カードは、会員の児童一人一人毎に発行され、年度又は年齢により色分けされ管理される、請求項２７乃至２９記載の方法。
【請求項３１】
前記会員カードは、個人認証情報を内蔵するセキュリティ機能を有し、非接触のＩＣ内蔵カードとして構成される、請求項２７乃至３０記載の方法。
【請求項３２】
前記会員カードには、父子・母子健康手帳の記載事項に基づく個人の育児情報、疾病・治療情報が記録され、医療及び行政機関を少なくとも含む各種支援団体の端末により読み取り可能に構成されている、請求項２７乃至３１記載の方法。
【請求項３３】
商品又は役務の提供を行う複数の端末とネットワークを介して接続されたサーバであって、
前記サーバは、商品又は役務の提供者が取扱う前記商品又は役務に関するデータを、前記提供者を示すデータと関連付けてデータベースに記憶しており、
利用者による端末の操作に基づき、前記利用者の端末から送信された照会データを受信する手段と、
前記照会データに応じた前記商品又は役務に関する照会結果データを、前記利用者の端末に送信する手段と、
前記利用者の端末から送信された一の前記商品又は役務に関するデータの選択を示す選択データを、前記利用者の端末から送信された前記利用者を特定するデータと共に受信する手段と、
受信した前記選択データに基づき、前記提供者を特定するために前記データベースを検索する手段と、
受信した前記利用者を特定するデータを、特定した前記提供者の端末に送信する手段と、
前記提供者の端末から受信した前記提供者の端末が有する撮影手段により撮影した前記提供者の肖像を含む画像データを受信する手段と、
受信した前記画像データを前記利用者の端末が有する出力手段に出力するために送信する手段と、を備える、サーバ。
【請求項３４】
前記データベースは、前記商品又は役務の提供を受けることができる利用者を会員として登録した会員データを有しており、
受信した前記利用者を特定するデータに基づき前記利用者の前記会員データが存在するか否かを判断する手段と、
前記利用者の前記会員データが存在する場合にのみ、受信した前記利用者を特定するデータを、前記提供者の端末に送信する手段と、を備える、請求項３３記載のサーバ。
【請求項３５】
前記提供者の端末から文字データを受信する手段と、
受信した前記文字データを、異なる言語に翻訳した文字データに変換し、前記利用者の端末に前記文字データを送信する手段と、を備える、請求項３３又は３４記載のサーバ。
【請求項３６】
前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記利用者の端末から受信した商品又は役務に関するビデオ選択データに基づいて前記提供者の肖像を含むビデオデータを抽出し、前記利用者の端末の前記出力手段に出力するために前記利用者の端末に送信する手段を備える、請求項３３乃至３５記載のサーバ。
【請求項３７】
前記利用者の端末及び前記提供者の端末において前記商品又は役務の売買が成立した場合に送信される決済に関するデータの受信及び送信を行う手段と、
受信した前記決済に関するデータに基づき、商品又は役務の売買に関する決済を行う手段と、を更に備え、
前記決済を行う手段において、前記利用者から送信された前記商品又は役務の売買による支払金額を示す金額データに基づき決済を行う、請求項３３乃至３６記載のサーバ。
【請求項３８】
商品又は役務の提供を行う提供者の端末とネットワークを介して接続された前記商品又は役務の提供を受ける利用者の端末であって、
前記端末と前記ネットワークを介して接続されるサーバは、前記提供者が取扱う前記商品又は役務に関するデータを、前記提供者を示すデータと関連付けてデータベースに記憶しており、
前記利用者の端末は、前記利用者による操作を受け付けたことに基づき、前記サーバから前記商品又は役務に関する照会結果データを受信し、前記利用者の端末が有する出力手段に出力する手段と、
出力した前記照会結果データから一の前記商品又は役務に関するデータの選択を受け付けたことに応じて、前記選択を示す選択データを、前記利用者を特定するデータと共に前記サーバに送信する手段と、
前記選択データに基づき、前記提供者の端末から送信された前記提供者の端末が有する撮影手段により撮影した前記提供者の肖像を含む画像データを受信する手段と、
受信した前記画像データを前記出力手段に出力する手段と、を備える、利用者の端末。
【請求項３９】
前記提供者の端末により撮影された前記画像データを、逐次に受信する手段を備える、請求項３８記載の利用者の端末。
【請求項４０】
前記利用者の端末は、撮影手段を有し、
前記撮影手段により撮影された画像データを、逐次に前記提供者の端末に送信する手段を備える、請求項３８又は３９記載の利用者の端末。
【請求項４１】
前記利用者の端末は、文字の入力を受け付ける文字入力手段を有し、
前記提供者の端末により入力された文字データを逐次に受信する手段と、
前記文字入力手段により入力された文字データを、逐次に前記提供者の端末に送信する手段と、備える、請求項３８乃至４０記載の利用者の端末。
【請求項４２】
前記提供者の端末から受信する手段において、前記提供者の端末と直接接続することによりピアツーピア通信を行う、請求項３８乃至４１記載の利用者の端末。
【請求項４３】
前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記利用者の端末は、商品又は役務に関するビデオ選択データを前記サーバに送信する手段と、
前記サーバにより送信された前記提供者の肖像を含むビデオデータを受信し、前記利用者の端末の前記出力手段に出力する手段と、を備える、請求項３８乃至４２記載の利用者の端末。
【請求項４４】
前記商品又は役務の売買が成立した場合に、商品又は役務の売買に関する決済を行う前記サーバと決済に関するデータの送受信を行う手段を備え、
前記決済に関するデータの送受信を行う手段は、前記サーバに、前記商品又は役務の売買による支払金額を示す金額データを送信する、請求項３８乃至４３記載の利用者の端末。
【請求項４５】
商品又は役務の提供を行う複数の端末とネットワークを介して接続された前記商品又は役務を提供する提供者の端末であって、
前記複数の端末と前記ネットワークを介して接続されるサーバは、前記提供者が取扱う前記商品又は役務に関するデータを、前記提供者を示すデータと関連付けてデータベースに記憶しており、
前記提供者の端末は、前記サーバから送信された前記商品又は役務の提供を受ける利用者を特定するデータを受信したことに応じて、前記提供者の端末が有する撮影手段により撮影した前記提供者の肖像を含む画像データを、前記利用者の端末に送信する手段と、を備える、提供者の端末。
【請求項４６】
前記利用者の端末に送信する手段は、撮影した前記画像データを逐次に送信する、請求項４５記載の提供者の端末。
【請求項４７】
前記利用者の端末から送信される前記利用者の端末が有する撮影手段により撮影された画像データを、逐次受信する手段と、
受信した前記画像データを提供者の端末が有する出力手段に出力する手段と、を備える、請求項４５又は４６記載の提供者の端末。
【請求項４８】
前記提供者の端末が送信する画像データは、前記撮影手段により撮影した前記商品又は役務に関する画像データを更に含む、請求項４５乃至４７記載の提供者の端末。
【請求項４９】
前記提供者の端末は、音声の入力を受け付ける音声入力手段を有し、
前記画像データと共に前記音声入力手段により入力された音声データを送信する手段を備える、請求項４５乃至４８記載の提供者の端末。
【請求項５０】
前記提供者の端末は、文字の入力を受け付ける文字入力手段を有し、
前記画像データと共に前記文字入力手段により入力された文字データを送信する手段を備える、請求項４５乃至４９記載の提供者の端末。
【請求項５１】
入力された前記文字データを、異なる言語に翻訳した文字データに変換する手段を備える、請求項５０記載の提供者の端末。
【請求項５２】
入力された前記文字データを逐次に前記利用者の端末に送信する手段と、
前記利用者の端末から送信された前記文字データを、逐次に受信する手段と、を備える、請求項５０又は５１記載の提供者の端末。
【請求項５３】
前記利用者の端末に送信する手段において、前記利用者の端末と直接接続することによりピアツーピア通信を行う、請求項４５乃至５２記載の提供者の端末。
【請求項５４】
前記データベースに前記提供者を示すデータ及び前記商品又は役務に関するデータと関連付けて記憶させるために、予め前記提供者の肖像を含むビデオデータを前記撮影手段により撮影し、送信する手段を備える、請求項４５乃至５３記載の提供者の端末。
【請求項５５】
前記商品又は役務の売買が成立した場合に、商品又は役務の売買に関する決済を行う前記サーバと決済に関するデータの送受信を行う手段を備える、請求項４５乃至５４記載の提供者の端末。
【請求項５６】
ネットワークを介して接続された複数の端末により商品又は役務の提供を行うシステムであって、
前記複数の端末と前記ネットワークを介して接続されるサーバは、商品又は役務の提供者が取扱う前記商品又は役務に関するデータを、前記提供者を示すデータと関連付けてデータベースに記憶しており、
利用者による端末の操作に基づき、前記利用者の端末が、前記サーバから前記商品又は役務に関する照会結果データを受信し、前記利用者の端末が有する出力手段に出力する手段と、
前記利用者の端末が、出力した前記照会結果データから一の前記商品又は役務に関するデータの選択を受け付けたことに応じて、前記選択を示す選択データを、前記利用者を特定するデータと共に前記サーバに送信する手段と、
前記サーバが、受信した前記選択データに基づき、前記データベースを検索することにより前記提供者を特定する手段と、
前記サーバが、受信した前記利用者を特定するデータを、特定した前記提供者の端末に送信する手段と、
前記提供者の端末が、前記利用者を特定するデータを受信したことに応じて、前記提供者の端末が有する撮影手段により撮影した前記提供者の肖像を含む画像データを、前記利用者の端末に送信する手段と、
前記利用者の端末が、受信した前記画像データを前記出力手段に出力する手段と、を備える、システム。
【請求項５７】
前記データベースは、前記商品又は役務の提供を受けることができる利用者を会員として登録した会員データを有しており、
前記サーバが、受信した前記利用者を特定するデータに基づき前記利用者の前記会員データが存在するか否かを判断する手段と、
前記サーバが、前記利用者の前記会員データが存在する場合にのみ、受信した前記利用者を特定するデータを、前記提供者の端末に送信する手段と、を備える、請求項５６記載のシステム。
【請求項５８】
撮影した前記画像データは、逐次に前記利用者の端末に送信され、前記出力手段に出力される、請求項５６又は５７記載のシステム。
【請求項５９】
前記利用者の端末は、撮影手段を有し、
前記撮影手段により撮影された画像データは、逐次に前記提供者の端末に送信され、前記提供者の端末が有する出力手段に出力される、請求項５６乃至５８記載のシステム。
【請求項６０】
前記提供者の端末が送信する画像データは、前記撮影手段により撮影した前記商品又は役務に関する画像データを更に含む、請求項５６乃至５９記載のシステム。
【請求項６１】
前記提供者の端末は、音声の入力を受け付ける音声入力手段を有し、
前記提供者の端末が、前記画像データと共に前記音声入力手段により入力された音声データを送信する手段を備える、請求項５６乃至６０記載のシステム。
【請求項６２】
前記提供者の端末は、文字の入力を受け付ける文字入力手段を有し、
前記提供者の端末が、前記画像データと共に前記文字入力手段により入力された文字データを送信する手段を備える、請求項５６乃至６１記載のシステム。
【請求項６３】
前記サーバ又は前記提供者の端末が、入力された前記文字データを、異なる言語に翻訳した文字データに変換する手段を備える、請求項６２記載のシステム。
【請求項６４】
前記利用者の端末は、文字の入力を受け付ける文字入力手段を有し、
前記提供者の端末が、入力された前記文字データを逐次に前記利用者の端末に送信する手段と、
前記利用者の端末が、前記文字入力手段により入力された前記文字データを、逐次に前記提供者の端末に送信する手段と、を備える、請求項６２又は６３記載のシステム。
【請求項６５】
前記提供者の端末が前記利用者の端末に送信する手段において、前記提供者の端末と前記利用者の端末とが直接接続することによりピアツーピア通信を行う、請求項５６乃至６４記載のシステム。
【請求項６６】
前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記サーバが、前記利用者の端末から受信した商品又は役務に関するビデオ選択データに基づいて前記提供者の肖像を含むビデオデータを抽出し、前記利用者の端末に送信する手段と、
前記前記利用者の端末が、送信された前記提供者の肖像を含むビデオデータを受信し、前記利用者の端末の前記出力手段に出力する手段と、を備える、請求項５６乃至６５記載のシステム。
【請求項６７】
前記商品又は役務の売買が成立した場合に、前記利用者の端末及び前記提供者の端末が、前記サーバと決済に関するデータの送受信を行う手段と、
前記サーバが、受信した前記決済に関するデータに基づき、商品又は役務の売買に関する決済を行う手段と、を更に含み、
前記決済を行う手段において、前記利用者から送信された前記商品又は役務の売買による支払金額を示す金額データに基づき決済を行う、請求項５６乃至６６記載のシステム。
【請求項６８】
前記金額データが日本円のデータである、請求項６７記載のシステム。
【請求項６９】
前記商品又は役務は、前記商品ごと、又は前記役務の提供の都度、品質が異なるものを含む、請求項５６乃至６８記載のシステム。
【請求項７０】
前記役務は、各種専門家による相談の提供を含む、請求項５６乃至６９記載のシステム。
【発明の詳細な説明】
【技術分野】
【０００１】
本発明は、ネットワークを介して接続された複数の端末により商品又は役務の提供を行う方法、サーバ、端末、及びシステムに関する。
【背景技術】
【０００２】
近年では、インターネットの飛躍的な進歩により回線速度が高速となり、また、端末の低価格化による普及、及び端末の操作が容易となったことに基づき、インターネット上のショッピングサイトが多く存在する。このようなショッピングサイトを使用することにより、家に居ながら時間を気にすることなくショッピングを楽しむことができる。【０００３】
インターネットによるショッピングは、近くに商店の少ない過疎地や、外出が儘ならない高齢者及び子育て世代には、有用なツールである。また、地方独自の商品を取り寄せるという用途にも用いられ、近年では、日本全国及び世界中にある商品を、端末さえあれば取り寄せることができる。特に、子育て中の世代にとっては、幼い子供を連れての外出も儘ならない状況であり、かつ、パソコンスキルもあることから、特にインターネットを用いたショッピングを活用しているものと思われる。【０００４】
また、過疎地や、外出が儘ならない高齢者及び子育て世代にとっては、特に核家族化が進み、近所との交流が希薄になった現代において、悩みや不満を聞いたり、相談にのってもらう機会が少なくなっており、カウンセリングに対するニーズが高いことが予想される。特に、子供を産んで育てる子育て世代にとって、育児は初めてのことばかりであり、身近に相談にのってもらえるカウンセリングのニーズは高い。【０００５】
そのような状況下で、インターネットを利用し、パソコンや携帯電話等の映像受信可能な送受信機から双方向通話可能な軽量携帯ビデオカメラ又はテレビカメラユニットとワイヤレスＬＡＮ用送受信ユニットとを装着したオペレータに音声でオペレータの動きを指示し、パソコンや携帯電話等の映像受信可能な送受信機のモニタにはオペレータが見ている対象物とほぼ同様に画像を表示することで、商品の購入を行うことができるシステムが開示されている（例えば、特許文献１）。
【特許文献１】特開２００４−１４５７７８号公報
【発明の開示】
【発明が解決しようとする課題】
【０００６】
特許文献１に記載のシステムによれば、買い手がパソコン等のモニタを見ながら、売り手に画像を撮影する指示を出すことにより、売り手の目線で商品を見ることができ、又は／及び売り手と買い手で会話をしながら商品購入ができる。しかし、買い手が商品を購入するに際して、重要と思うのは商品に関する情報に限られない。特に、工場で大量生産されたような工業製品を、その工場や、一定の信頼のおける卸業者から直接販売するような場合には、その工業製品の生産企業の信頼や、卸業者の信頼に基づき、売買が成立すると考えられる。よって、売買をするに際して、商品に関する情報のみでなく、販売者（提供者）の信頼に関する情報は、重要な要素である。現在、インターネットが普及し、個人が商店を仮想空間で展開していることが多く行われている中で、例えば、手作りの品等の一点ものを購入しようと思った場合に、その商品の品質等の情報はもとより、売り手がどのような者であるか、という売り手側の情報を得たい、との心理が働く。特に個人であれば、企業のように、長年の企業活動の蓄積により得ることができる信用を、すぐには得ることができないため、購入者は不安感を抱きつつも、取引を行うという現実がある。【０００７】
また、特許文献１は、店舗に行かずに店舗に展示してある商品を購入できるシステムである。そのため、店舗に展示していない商品や目に見えないサービス（役務）に関する技術については開示されていない。【０００８】
本発明は、利用者に対して商品又は役務の提供者の信用を担保しつつ商品又は役務を購入することができる方法、サーバ、端末、及びシステムを提供することを目的とする。
【課題を解決するための手段】
【０００９】
上記目的のため、具体的には以下のようなものを提供する。【００１０】
（１）  ネットワークを介して接続された複数の端末により商品又は役務の提供を行う方法であって、
前記複数の端末と前記ネットワークを介して接続されるサーバは、商品又は役務の提供者が取扱う前記商品又は役務に関するデータを、前記提供者を示すデータと関連付けてデータベースに記憶しており、
利用者による端末の操作に基づき、前記利用者の端末が、前記サーバから前記商品又は役務に関する照会結果データを受信し、前記利用者の端末が有する出力手段に出力するステップと、
前記利用者の端末が、出力した前記照会結果データから一の前記商品又は役務に関するデータの選択を受け付けたことに応じて、前記選択を示す選択データを、前記利用者を特定するデータと共に前記サーバに送信するステップと、
前記サーバが、受信した前記選択データに基づき、前記データベースを検索することにより前記提供者を特定するステップと、
前記サーバが、受信した前記利用者を特定するデータを、特定した前記提供者の端末に送信するステップと、
前記提供者の端末が、前記利用者を特定するデータを受信したことに応じて、前記提供者の端末が有する撮影手段により撮影した前記提供者の肖像を含む画像データを、前記利用者の端末に送信するステップと、
前記利用者の端末が、受信した前記画像データを前記出力手段に出力するステップと、を含む方法。【００１１】
（１）の構成によれば、ネットワーク（通信回線３０）を介して接続された利用者の端末（２０ａ）は、サーバ（１０）から商品又は役務に関するデータを受信し、利用者の端末が有する出力手段に出力する。この出力は、例えば利用者が選択したカテゴリに基づき出力してもよいし、最新情報を出力してもよい。出力とは、例えば端末の画面に表示してもよいし、音声として出力してもよい。また、利用者の端末が、出力した商品又は役務に関するデータの選択を受け付けたことに応じて、選択を示す選択データを、利用者を特定するデータと共にサーバに送信する。送信するデータのうち、選択データとは、利用者が選択した１つの商品又は役務に関するデータを示す。また、利用者を特定するデータとは、例えば、会員であれば会員ＩＤ等を示す。そして、サーバが、受信した選択データに基づき、データベース（提供者ＤＢ１８）を検索することにより提供者を特定する。そして、サーバが、受信した利用者を特定するデータを、特定した提供者の端末（２０ｂ）に送信する。そして、提供者の端末が、利用者を特定するデータを受信したことに応じて、提供者の端末が有する撮影手段（カメラ２２）により撮影した提供者の肖像を含む画像データを、利用者の端末に送信する。そして、利用者の端末が、受信した画像データを出力手段に出力する。【００１２】
よって、商品又は役務の提供を受けたい利用者は、商品又は役務の提供を受けるに際して、商品又は役務の提供を行う提供者の肖像（顔）を見ることができる。これは、利用者が、様々な表情が表れる提供者の顔を見ながら、商品又は役務の提供を受けることができることを示す。利用者は、自身の端末の画面から提供者の肖像（顔）を見ることにより、提供者に対する一定の信用を担保することができる。なぜならば、表情によって提供者の人柄が少なからず分かるものであり、また、利用者とのやりとりによる回答態度や内容、接客態度により、提供者に対する様々な情報を得ることができるからである。そのため、利用者に、信頼を与えることができる。また、提供者も、肖像が利用者に表示されるため、責任のある商品又は役務を提供しようという心理が働く。【００１３】
（２）  前記データベースは、前記商品又は役務の提供を受けることができる利用者を会員として登録した会員データを有しており、
前記サーバが、受信した前記利用者を特定するデータに基づき前記利用者の前記会員データが存在するか否かを判断するステップと、
前記サーバが、前記利用者の前記会員データが存在する場合にのみ、受信した前記利用者を特定するデータを、前記提供者の端末に送信するステップと、を含む、（１）記載の方法。【００１４】
（２）の構成によれば、データベース（会員ＤＢ１９）は、商品又は役務の提供を受けることができる利用者を会員として登録した会員データを有しており、サーバが、受信した利用者を特定するデータに基づき利用者の会員データが存在するか否かを判断し、サーバが、利用者の会員データが存在する場合にのみ、受信した利用者を特定するデータを、提供者の端末に送信する。【００１５】
よって、利用者として、提供者の表情を画像データとして表示できるのは、会員登録された者に限定される。提供者の信頼は、顔の画像を提供することで構築され、他方、利用者の信頼は、会員登録という個人情報その他の情報を提供した者であることで構築される。そのため、提供者も安心して顔を出すことができる。【００１６】
（３）  撮影した前記画像データは、逐次に前記利用者の端末に送信され、前記出力手段に出力される、（１）又は（２）記載の方法。【００１７】
（３）の構成によれば、撮影した画像データは、逐次に利用者の端末に送信され、出力手段に出力される。よって、利用者は、提供者のリアルタイムの表情を画像データにより見ることができる。【００１８】
（４）  前記利用者の端末は、撮影手段を有し、
前記撮影手段により撮影された画像データは、逐次に前記提供者の端末に送信され、前記提供者の端末が有する出力手段に出力される、（１）乃至（３）記載の方法。【００１９】
（４）の構成によれば、利用者の端末が有する撮影手段により撮影された画像データは、逐次に提供者の端末に送信され、提供者の端末が有する出力手段に出力される。よって、提供者も同様に、利用者のリアルタイムの表情等を画像データにより見ることができる。これは、あたかも対面で取引のための交渉を行っているかのような状態を本機能で実現することができる。リアルタイムで肖像が表示されることにより、店舗での商品又は役務の購入に際して、重要視する接客態度等も直接に見ることができる。【００２０】
（５）  前記提供者の端末が送信する画像データは、前記撮影手段により撮影した前記商品又は役務に関する画像データを更に含む、（１）乃至（４）記載の方法。【００２１】
（５）の構成によれば、提供者の端末が送信する画像データは、提供者の肖像を含む画像データのみならず、撮影手段により撮影した商品又は役務に関する画像データを含む。よって、利用者は、提供者の顔の表情のみならず、提供する商品又は役務についても、画像データとして見ることができる。よって、仮想の空間でのやりとりながら、実際に店舗に出向いているかのように交渉を行うことができる。【００２２】
（６）  前記提供者の端末は、音声の入力を受け付ける音声入力手段を有し、
前記提供者の端末が、前記画像データと共に前記音声入力手段により入力された音声データを送信するステップを含む、（１）乃至（５）記載の方法。【００２３】
（６）の構成によれば、提供者の端末は、音声の入力を受け付ける音声入力手段（マイク２１）を有し、提供者の端末が、画像データと共に音声入力手段により入力された音声データを送信する。よって、画像と共に音声でも商品又は役務に関する情報を、利用者に提供することができる。【００２４】
（７）  前記提供者の端末は、文字の入力を受け付ける文字入力手段を有し、
前記提供者の端末が、前記画像データと共に前記文字入力手段により入力された文字データを送信するステップを含む、（１）乃至（６）記載の方法。【００２５】
（７）の構成によれば、記提供者の端末は、文字の入力を受け付ける文字入力手段を有し、提供者の端末が、画像データと共に文字入力手段により入力された文字データを送信する。よって、例えば、利用者が耳の不自由な人であっても、商品又は役務に関する情報を提供することができる。【００２６】
（８）  前記サーバ又は前記提供者の端末が、入力された前記文字データを、異なる言語に翻訳した文字データに変換するステップを含む、（７）記載の方法。【００２７】
（８）の構成によれば、サーバ又は提供者の端末が、入力された文字データを、異なる言語に翻訳した文字データに変換する。よって、例えば、利用者が、日本語が不自由な者であっても、商品又は役務に関する情報を提供することができる。【００２８】
（９）  前記利用者の端末は、文字の入力を受け付ける文字入力手段を有し、
前記提供者の端末が、入力された前記文字データを逐次に前記利用者の端末に送信するステップと、
前記利用者の端末が、前記文字入力手段により入力された前記文字データを、逐次に前記提供者の端末に送信するステップと、を含む、（７）又は（８）記載の方法。【００２９】
（９）の構成によれば、利用者の端末は、文字の入力を受け付ける文字入力手段を有し、提供者の端末が、入力された文字データを逐次に利用者の端末に送信し、利用者の端末が、文字入力手段により入力された文字データを、逐次に提供者の端末に送信する。【００３０】
よって、利用者と提供者は、チャットのように文字データのやりとりをすることができる。よって、円滑なやりとりを行うことができる。また、文字データを保存しておけば、後々まで証拠としてやりとりを残すことができる。【００３１】
（１０）  前記提供者の端末が前記利用者の端末に送信するステップにおいて、前記提供者の端末と前記利用者の端末とが直接接続することによりピアツーピア通信を行う、（１）乃至（９）記載の方法。【００３２】
（１０）の構成によれば、提供者の端末と利用者の端末とが直接接続することによりピアツーピア通信を行う。ピアツーピアの通信は、音質がよく、安定性に富むという特徴があり、既存のピアツーピアのソフトウェアを用いることにより、安価にかつ容易に本機能を実現することができる。【００３３】
（１１）  前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記サーバが、前記利用者の端末から受信した商品又は役務に関するビデオ選択データに基づいて前記提供者の肖像を含むビデオデータを抽出し、前記利用者の端末に送信するステップと、
前記利用者の端末が、送信された前記提供者の肖像を含むビデオデータを受信し、前記利用者の端末の前記出力手段に出力するステップと、を更に含む、（１）乃至（１０）記載の方法。【００３４】
（１１）の構成によれば、サーバが、利用者の端末から受信した商品又は役務に関するビデオ選択データに基づいて提供者の肖像を含むビデオデータをデータベース（提供者ＤＢ１８）から抽出し、利用者の端末に送信する。提供者の肖像を含むビデオデータとは、例えば、商品又は役務を映した動画や、写真を表し、提供者の肖像の画像データの他に、商品又は役務に関する画像データを含む場合もある。そして、利用者の端末が、送信された提供者の肖像を含むビデオデータを受信し、利用者の端末の出力手段に出力する。【００３５】
よって、提供者の肖像を含むビデオデータを、利用者が見ることができる。利用者が、商品又は役務に関して、購入を選択するにあたり、例えば、直接提供者とのやりとりを開始する前に、提供者の肖像を含むビデオデータを見ることにより、提供者は、商品又は役務の提供をするにふさわしい相手であるか否かを判断することができ、提供者の信頼性を事前に確認することができる。よって、信頼のおける提供者を利用者が選別した上で、購入のアプローチを選択することができる。【００３６】
（１２）  前記商品又は役務の売買が成立した場合に、前記利用者の端末及び前記提供者の端末が、前記サーバと決済に関するデータの送受信を行うステップと、
前記サーバが、受信した前記決済に関するデータに基づき、商品又は役務の売買に関する決済を行うステップと、を更に含み、
前記決済を行うステップにおいて、前記利用者から送信された前記商品又は役務の売買による支払金額を示す金額データに基づき決済を行う、（１）乃至（１１）記載の方法。【００３７】
（１２）の構成によれば、商品又は役務の売買が成立した場合に、利用者の端末及び提供者の端末が、サーバと決済に関するデータの送受信を行い、サーバが、受信した決済に関するデータに基づき、商品又は役務の売買に関する決済を行う。そして、決済は、利用者から送信された商品又は役務の売買による支払金額を示す金額データに基づきを行われる。【００３８】
よって、利用者と提供者との間で、商品又は役務の売買が成立した場合には、サーバを利用することにより、決済までを行うことができる。よって、利用者と提供者とが、安心かつ簡単に取引を行うことができる。【００３９】
（１３）  前記金額データが日本円のデータである、（１２）記載の方法。【００４０】
（１３）の構成によれば、金額データが日本円のデータであるので、為替リスクを回避した決済処理を行うことができる。【００４１】
（１４）  前記商品又は役務は、前記商品ごと、又は前記役務の提供の都度、品質が異なるものを含む、（１）乃至（１３）記載の方法。【００４２】
（１４）の構成によれば、商品又は役務は、商品ごと、又は役務の提供の都度、品質が異なるものを含むため、特に、信頼関係が必要なものであり、提供者の表情を見ながら取引することができる利点を享受しうる。【００４３】
（１５）  前記役務は、各種専門家による相談の提供を含む、（１）乃至（１４）記載の方法。【００４４】
（１５）の構成によれば、役務は、各種専門家による相談の提供を含むので、特に、利用者は、提供者の人柄を気にするものであり、表情を見ながら取引することができる利点を享受しうる。【００４５】
（１６）  前記利用者の端末から、前記ネットワークを介して実施する前記各種専門家の一に対する相談に関して、通訳の希望を示すデータを少なくとも含む相談申込データを受信したことに応じて、前記サーバが、前記相談申込データを他の利用者の端末から閲覧可能に前記データベースに記憶するステップと、
前記相談申込データを閲覧した前記他の利用者の端末から、前記通訳を応諾するデータを受信したことに応じて、前記サーバが、前記利用者の端末と、前記各種専門家の一の端末と、前記通訳を応諾した前記他の利用者の端末と、を少なくとも接続して前記相談申込データに係る相談を記録しながら実施するステップと、を含む、（１５）記載の方法。【００４６】
（１６）の構成によれば、利用者の端末から、ネットワークを介して実施する前記各種専門家の一に対する相談に関して、通訳の希望を示すデータを少なくとも含む相談申込データを受信したことに応じて、サーバが、相談申込データを他の利用者の端末から閲覧可能にデータベースに記憶する。そして、相談申込データを閲覧した他の利用者の端末から、通訳を応諾するデータを受信したことに応じて、サーバが、利用者の端末と、各種専門家の一の端末と、通訳を応諾した他の利用者の端末と、を少なくとも接続して相談申込データに係る相談を記録しながら実施する。【００４７】
よって、サーバは、実施する各種専門家の一に対する相談を、通訳を応諾した他の利用者が存在する場合に実施することができる。その結果、例えば、利用者が希望する各種専門家の一が、利用者が理解可能な言語を理解できない場合においても、ネットワークを介して通訳を応諾した他の利用者による通訳を利用しつつ、相談を実施することができる。【００４８】
（１７）  前記相談申込データに係る相談を実施した前記利用者の端末と、前記提供者の端末とから、公開を許可するデータを受信したことに応じて、前記サーバが、前記相談を記録したデータを前記他の利用者の端末から視聴可能に記憶するステップと、
前記相談を記録したデータを視聴した他の利用者の端末から、前記相談の内容の他国語への翻訳データを受信したことに応じて、前記サーバが、前記翻訳データを前記他の利用者の端末からアクセス可能に記憶するステップと、を含む、（１６）記載の方法。【００４９】
（１７）の構成によれば、相談申込データに係る相談を実施した利用者の端末と、提供者の端末とから、公開を許可するデータを受信したことに応じて、サーバが、相談を記録したデータを他の利用者の端末から視聴可能に記憶する。そして、相談を記録したデータを視聴した他の利用者の端末から、相談の内容の他国語への翻訳データを受信したことに応じて、サーバが、翻訳データを他の利用者の端末からアクセス可能に記憶する。【００５０】
よって、サーバは、利用者及び提供者の当事者が公開を許可した相談を記録したデータを視聴した他の利用者の端末から、相談の内容の他国語への翻訳データを受信して他の利用者の端末からアクセス可能に記憶することができる。その結果、例えば、英語を話す利用者が日本語を話す専門家と実施した相談の内容の韓国語や中国語への翻訳データを受信して他の利用者の端末からアクセス可能に記憶することができる。従って、利用者はリアルタイムで通訳を受けられるばかりではなく、相談の内容の公開を当事者が許可した場合には、相談の内容が、更に他国語に翻訳されたものが他の利用者の端末からアクセス可能に記憶されることになる。【００５１】
（１８）  前記相談を記録したデータを視聴した他の利用者の端末から、前記相談の内容の各国語の文字データを受信したことに応じて、前記サーバが、前記文字データを前記他の利用者の端末からアクセス可能に記憶するステップと、を含む、（１５）乃至（１７）記載の方法。【００５２】
（１８）の構成によれば、相談を記録したデータを視聴した他の利用者の端末から、相談の内容の各国語の文字データを受信したことに応じて、サーバが、文字データを他の利用者の端末からアクセス可能に記憶する。【００５３】
よって、相談を記録したデータを視聴した他の利用者の端末から、相談の内容の各国語の文字データを受信して他の利用者の端末からアクセス可能に記憶することができる。その結果、サーバは、耳の不自由な利用者が相談の内容を把握するために必要な文字データを各国語で記憶することができる。【００５４】
（１９）  前記サーバが、サポート団体のシステムと接続して該サポート団体からの各種情報を前記データベースに蓄積し、利用者の端末からの要求に応じて、前記各種情報を前記利用者の端末に送信する支援企業・ＮＰＯ提携ステップを更に含む、（１）乃至（１８）記載の方法。【００５５】
（１９）の構成によれば、サーバが、サポート団体のシステム（４０）と接続してサポート団体からの各種情報をデータベース（サポート団体ＤＢ１８ｃ）に蓄積し、利用者の端末からの要求に応じて、各種情報を利用者の端末に送信する。【００５６】
よって、サーバは、サポート団体のシステムと接続して受信して蓄積した各種情報を、利用者に対して提供することができる。なお、上記機能は、支援企業・ＮＰＯ提携手段（５０）により実現される。本機能は、全国の支援企業及び関連ＮＰＯ等のサポート団体の端末と接続してサポート団体からの各種情報をデータベースに蓄積し、Ｗｅｂサーバを介して利用者の端末に各種サービスを提供してもよい。【００５７】
（２０）  前記サーバが、各種専門機関のシステムと接続して受信した情報を前記データベースに蓄積し、利用者の端末からの要求に応じて、窓口相談を受け付けて当該情報を提供するために前記利用者の端末に送信する専門家アドバイス支援サポートステップを更に含む、（１）乃至（１９）記載の方法。【００５８】
（２０）の構成によれば、サーバが、各種専門機関のシステム（４３）と接続して受信した情報をデータベース（アドバイス情報ＤＢ１８ｄ）に蓄積し、利用者の端末からの要求に応じて、窓口相談を受け付けて当該情報を提供するために利用者の端末に送信する。【００５９】
なお、上記機能は、専門家アドバイス支援サポート手段（５１）によって実現される。本機能は、警察、法律相談及び各種施設等の各種専門機関の端末と接続して専門機関から得られた情報をデータベースに蓄積し、Ｗｅｂサーバを介して利用者の端末からの窓口相談を受けつけ当該情報を提供してもよい。【００６０】
（２１）  前記サーバが、利用者及び各種支援団体の端末とシステム間をＩＰ通話により接続し、各種支援団体から得られた情報を各種情報サービスとしてＩＰ通話により提供するコールセンタ業務・情報サービスステップを更に含む、（１）乃至（２０）記載の方法。【００６１】
（２１）の構成によれば、サーバが、利用者及び各種支援団体の端末とシステム間をＩＰ通話により接続し、各種支援団体から得られた情報を各種情報サービスとしてＩＰ通話により提供する。【００６２】
なお、上記機能は、コールセンタ業務・情報サービス手段（５２）により実現される。本機能は、利用者及び各種支援団体の端末とシステム間をＩＰ通話により接続するコールセンタを有し、各種支援団体から得られた情報を希望する利用者に子育て支援のための各種情報サービスとしてＩＰ通話により提供してもよい。【００６３】
（２２）  前記サーバが、多国語サポートによる全国・海外からの観光誘致事業を展開する観光会社のシステムと接続して受信した情報を前記データベースに蓄積し、利用者の端末からの要求に応じて希望する情報を前記利用者の端末に送信する地域観光誘致事業展開ステップを更に含む、（１）乃至（２１）記載の方法。【００６４】
（２２）の構成によれば、サーバが、多国語サポートによる全国・海外からの観光誘致事業を展開する観光会社のシステム（４６）と接続して受信した情報をデータベースに蓄積し、利用者の端末からの要求に応じて希望する情報を利用者の端末に送信する。【００６５】
なお、上記機能は、地域観光誘致事業展開手段（５３）により実現される。本機能は、多国語サポートによる全国・海外からの観光誘致事業を展開する観光会社端末と接続して観光会社から得られた情報をデータベースに蓄積し、利用者の端末を介し希望する情報を提供して子育て支援態勢の経済的基盤強化を図ってもよい。【００６６】
（２３）  前記サーバが、前記提携企業のシステムと接続してリクルート情報の授受を行い前記利用者の端末からの要求に応じて、前記リクルート情報を送信する人材派遣・リクルート提供ステップを更に含む、（１）乃至（２２）記載の方法。【００６７】
（２３）の構成によれば、サーバが、提携企業のシステム（４５）と接続してリクルート情報の授受を行い利用者の端末からの要求に応じて、リクルート情報を送信する。【００６８】
なお、上記機能は、人材派遣・リクルート提供手段（５４）により実現される。本機能は、これまでの仕事のキャリアを子育ての中で中断することなく生活の状況により仕事を選ぶことができるように地域の提携企業端末を介して希望の利用者のリクルート情報の授受を行い雇用支援してもよい。【００６９】
（２４）  前記データベースの各種情報に基づいて、前記サーバが、子育て関連情報誌を発行するためのデータを出力する子育て情報誌発行ステップを更に含む、（１）乃至（２３）記載の方法。【００７０】
（２４）の構成によれば、データベースの各種情報に基づいて、サーバが、子育て関連情報誌を発行するためのデータを出力する。【００７１】
なお、上記機能は、子育て情報誌発行手段（５５）によって実現される。本機能は、各種支援団体の端末を介して得られたデータベース内の各種情報を基に、利用者対象の子育て関連情報誌を発行して情報提供の死角をカバーしてもよい。【００７２】
（２５）  前記サーバが、行政機関のシステムと接続して受信した父子・母子健康手帳の内容を表すデータ及びそのスケジュール管理情報を前記データベースに記憶すると共に、該スケジュール管理情報に基づき利用者の端末を介して利用者と情報の授受を行い得られた情報を前記データベースに蓄積する父子・母子健康手帳管理ステップを更に含む、（１）乃至（２４）記載の方法。【００７３】
（２５）の構成によれば、サーバが、行政機関のシステム（４２）と接続して受信した父子・母子健康手帳の内容を表すデータ及びそのスケジュール管理情報をデータベースに記憶すると共に、スケジュール管理情報に基づき利用者の端末を介して利用者と情報の授受を行い得られた情報をデータベースに蓄積する。【００７４】
なお、上記機能は、父子・母子健康手帳管理手段（５６）により実現される。本機能は、地域の行政機関の端末を介して得られた父子・母子健康手帳の内容及びそのスケジュール管理情報をデータベースに保存すると共に、スケジュール管理情報に基づき利用者の端末を介して利用者と情報の授受を行い得られた情報をデータベースに蓄積してもよい。【００７５】
（２６）  前記父子・母子健康手帳管理ステップにおいて、前記サーバが、前記利用者の端末からの要求に応答し、前記スケジュール管理情報に基づき、前記データベースに保存された父子・母子健康手帳の内容から該当する情報を取り出して入力画面を示すデータを生成して前記利用者の端末に送信し、前記利用者の端末から受信した入力情報を前記データベースに保存すると共に、前記利用者の端末から受信した入力情報に基づいて図形化又はグラフ化された表示画面を生成する必要がある場合は、前記利用者の端末から入力情報を受信した際に、その情報に関する図形又はグラフを生成しイメージデータとして予め前記データベースに保存しておき、前記利用者の端末から要求があった際に、該イメージデータを出力画面を示すデータに組み込んで前記利用者の端末に送信する、（２５）記載の方法。【００７６】
（２６）の構成によれば、サーバが、利用者の端末からの要求に応答し、スケジュール管理情報に基づき、データベースに保存された父子・母子健康手帳の内容から該当する情報を取り出して入力画面を示すデータを生成して利用者の端末に送信し、利用者の端末から受信した入力情報をデータベースに保存すると共に、利用者の端末から受信した入力情報に基づいて図形化又はグラフ化された表示画面を生成する必要がある場合は、利用者の端末から入力情報を受信した際に、その情報に関する図形又はグラフを生成しイメージデータとして予めデータベースに保存しておき、利用者の端末から要求があった際に、イメージデータを出力画面を示すデータに組み込んで利用者の端末に送信する。【００７７】
なお、父子・母子健康手帳管理手段（５６）は、利用者の端末からの要求に応答し、スケジュール管理情報に基づき、データベースに保存された父子・母子健康手帳の内容から該当する情報を取り出し入力画面を生成して利用者の端末に送信し、利用者の端末から受信した入力情報をデータベースに保存すると共に、利用者の端末から受信した入力情報より図形化又はグラフ化された表示画面を生成する必要がある場合は、利用者の端末から入力情報を受信した際に、その情報に関する図形又はグラフを生成しイメージデータとして予めデータベースに保存しておき、利用者の端末から要求があった際に、イメージデータを出力画面に組み込んで利用者の端末に送信してもよい。【００７８】
（２７）  前記サーバが、前記会員の会員カードを発行するためのデータを生成し、発行された会員の情報を管理するカード発行・管理ステップを更に含む、（２）記載の方法。【００７９】
（２７）の構成によれば、サーバが、会員の会員カードを発行するためのデータを生成し、発行された会員の情報を管理する。よって、サーバは、会員ＤＢに登録された会員に対してカードを発行し、会員の情報を管理することができる。【００８０】
なお、上記機能は、カード発行・管理手段（５７）により実現される。本機能は、利用者の入会認証後、提携カード会社の端末を介し当該会員を対象とする会員カードを申請して通常の磁気カード又はＣＰＵ、メモリ及びインターフェースを内蔵したマルチユース型のＩＣカードを用いた会員カードを発行し、発行された会員カードを管理してもよい。【００８１】
（２８）  前記サーバが、行政機関のシステムと接続して受信した行政サービス情報を前記データベースに蓄積し、前記行政サービス情報を通知するためのデータを前記利用者の端末からの要求に応じて送信すると共に、医療機関のシステムと接続して会員情報の授受を行い、前記会員カードの利用により前記医療機関において医療費のカード決済を行う医療機関・行政サービス支援ステップを更に含む、（２７）記載の方法。【００８２】
（２８）の構成によれば、サーバが、行政機関のシステム（４２）と接続して受信した行政サービス情報をデータベース（医療・行政サービスＤＢ１８ｅ）に蓄積し、行政サービス情報を通知するためのデータを利用者の端末からの要求に応じて送信すると共に、医療機関のシステムと接続して会員情報の授受を行い、会員カードの利用により医療機関において医療費のカード決済を行う。【００８３】
よって、サーバは、行政機関のシステムと接続して受信して蓄積した行政サービス情報を、利用者に対して通知することができる。また、医療機関のシステムと接続して会員情報の授受を行うことにより、利用者に対して前記医療機関において発生した医療費のカード決済を行うことができる。【００８４】
なお、上記機能は、医療機関・行政サービス支援手段（５８）によって実現される。本機能は、地域の行政機関の端末を介して得られた行政サービス情報をデータベースに蓄積し、行政サービスの通知を利用者の端末に送信して情報の提供を行なうと共に、定期健診のみならず急病等の場合にも遅滞なく診断治療が受けられるように医療機関の端末を介して会員情報の授受を行い、会員カード利用により医療費のカード決済等の各種サービスが受けられるようにしてもよい。【００８５】
（２９）  前記サーバが、地域内で支援可能な企業を認定して提携を図り、該提携企業のシステムから日々の情報を受信して前記データベースに蓄積し、前記利用者の端末からの要求に応じて、各種サービスを前記会員カードの利用に応じて蓄積・記憶したポイントによる決済により提供する地域企業認定・提携ステップを更に含む、（２７）又は（２８）記載の方法。【００８６】
（２９）の構成によれば、サーバが、地域内で支援可能な企業を認定して提携を図り、提携企業のシステム（４５）から日々の情報を受信してデータベース（提携企業ＤＢ１８ｂ）に蓄積し、利用者の端末からの要求に応じて、各種サービスを会員カードの利用に応じて蓄積・記憶したポイントによる決済により提供する。【００８７】
なお、上記機能は、地域企業認定・提携手段（５９）により実現される。本機能は、地域内で支援可能な企業を認定して提携を図り、提携企業の端末から日々の情報を受け付けデータベースに蓄積し、利用者の端末を介して申し込まれた商品の斡旋等の各種サービスを会員カードの利用によるポイント制により提供してもよい。【００８８】
（３０）  前記会員カードは、会員の児童一人一人毎に発行され、年度又は年齢により色分けされ管理される、（２７）乃至（２９）記載の方法。【００８９】
（３０）の構成によれば、会員カードは、会員の児童一人一人毎に発行され、年度又は年齢により色分けされ管理される。【００９０】
（３１）  前記会員カードは、個人認証情報を内蔵するセキュリティ機能を有し、非接触のＩＣ内蔵カードとして構成される、（２７）乃至（３０）記載の方法。【００９１】
（３１）の構成によれば、会員カードは、個人認証情報を内蔵するセキュリティ機能を有し、非接触のＩＣ内蔵カードとして構成される。なお、会員カードは、暗号化された個人情報、ＩＤ、パスワード等の個人認証情報を内蔵してなりすまし等の不正使用を排除できる個人認証システムにより一意に個人を識別できるセキュリティ機能を有し、無線電波又は光通信を用いたワイヤレス通信による非接触のＩＣ内蔵カードとして構成してもよい。【００９２】
（３２）  前記会員カードには、父子・母子健康手帳の記載事項に基づく個人の育児情報、疾病・治療情報が記録され、医療及び行政機関を少なくとも含む各種支援団体の端末により読み取り可能に構成されている、（２７）乃至（３１）記載の方法。【００９３】
（３２）の構成によれば、会員カードには、父子・母子健康手帳の記載事項に基づく個人の育児情報、疾病・治療情報が記録され、医療及び行政機関を少なくとも含む各種支援団体の端末により読み取り可能に構成されている。【００９４】
（３３）  商品又は役務の提供を行う複数の端末とネットワークを介して接続されたサーバであって、
前記サーバは、商品又は役務の提供者が取扱う前記商品又は役務に関するデータを、前記提供者を示すデータと関連付けてデータベースに記憶しており、
利用者による端末の操作に基づき、前記利用者の端末から送信された照会データを受信する手段と、
前記照会データに応じた前記商品又は役務に関する照会結果データを、前記利用者の端末に送信する手段と、
前記利用者の端末から送信された一の前記商品又は役務に関するデータの選択を示す選択データを、前記利用者の端末から送信された前記利用者を特定するデータと共に受信する手段と、
受信した前記選択データに基づき、前記提供者を特定するために前記データベースを検索する手段と、
受信した前記利用者を特定するデータを、特定した前記提供者の端末に送信する手段と、
前記提供者の端末から受信した前記提供者の端末が有する撮影手段により撮影した前記提供者の肖像を含む画像データを受信する手段と、
受信した前記画像データを前記利用者の端末が有する出力手段に出力するために送信する手段と、を備える、サーバ。【００９５】
（３３）の構成によれば、上記（１）と同様の作用効果を有するサーバを提供することができる。【００９６】
（３４）  前記データベースは、前記商品又は役務の提供を受けることができる利用者を会員として登録した会員データを有しており、
受信した前記利用者を特定するデータに基づき前記利用者の前記会員データが存在するか否かを判断する手段と、
前記利用者の前記会員データが存在する場合にのみ、受信した前記利用者を特定するデータを、前記提供者の端末に送信する手段と、を備える、（３３）記載のサーバ。【００９７】
（３４）の構成によれば、上記（２）と同様の作用効果を有するサーバを提供することができる。【００９８】
（３５）  前記提供者の端末から文字データを受信する手段と、
受信した前記文字データを、異なる言語に翻訳した文字データに変換し、前記利用者の端末に前記文字データを送信する手段と、を備える、（３３）又は（３４）記載のサーバ。【００９９】
（３５）の構成によれば、上記（８）と同様の作用効果を有するサーバを提供することができる。【０１００】
（３６）  前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記利用者の端末から受信した商品又は役務に関するビデオ選択データに基づいて前記提供者の肖像を含むビデオデータを抽出し、前記利用者の端末の前記出力手段に出力するために前記利用者の端末に送信する手段を備える、（３３）乃至（３５）記載のサーバ。【０１０１】
（３６）の構成によれば、上記（１１）と同様の作用効果を有するサーバを提供することができる。【０１０２】
（３７）  前記利用者の端末及び前記提供者の端末において前記商品又は役務の売買が成立した場合に送信される決済に関するデータの受信及び送信を行う手段と、
受信した前記決済に関するデータに基づき、商品又は役務の売買に関する決済を行う手段と、を更に備え、
前記決済を行う手段において、前記利用者から送信された前記商品又は役務の売買による支払金額を示す金額データに基づき決済を行う、（３３）乃至（３６）記載のサーバ。【０１０３】
（３７）の構成によれば、上記（１２）と同様の作用効果を有するサーバを提供することができる。【０１０４】
（３８）  商品又は役務の提供を行う提供者の端末とネットワークを介して接続された前記商品又は役務の提供を受ける利用者の端末であって、
前記端末と前記ネットワークを介して接続されるサーバは、前記提供者が取扱う前記商品又は役務に関するデータを、前記提供者を示すデータと関連付けてデータベースに記憶しており、
前記利用者の端末は、前記利用者による操作を受け付けたことに基づき、前記サーバから前記商品又は役務に関する照会結果データを受信し、前記利用者の端末が有する出力手段に出力する手段と、
出力した前記照会結果データから一の前記商品又は役務に関するデータの選択を受け付けたことに応じて、前記選択を示す選択データを、前記利用者を特定するデータと共に前記サーバに送信する手段と、
前記選択データに基づき、前記提供者の端末から送信された前記提供者の端末が有する撮影手段により撮影した前記提供者の肖像を含む画像データを受信する手段と、
受信した前記画像データを前記出力手段に出力する手段と、を備える、利用者の端末。【０１０５】
（３８）の構成によれば、上記（１）と同様の作用効果を有する利用者の端末を提供することができる。【０１０６】
（３９）  前記提供者の端末により撮影された前記画像データを、逐次に受信する手段を備える、（３８）記載の利用者の端末。【０１０７】
（３９）の構成によれば、上記（３）と同様の作用効果を有する利用者の端末を提供することができる。【０１０８】
（４０）  前記利用者の端末は、撮影手段を有し、
前記撮影手段により撮影された画像データを、逐次に前記提供者の端末に送信する手段を備える、（３８）又は（３９）記載の利用者の端末。【０１０９】
（４０）の構成によれば、上記（４）と同様の作用効果を有する利用者の端末を提供することができる。【０１１０】
（４１）  前記利用者の端末は、文字の入力を受け付ける文字入力手段を有し、
前記提供者の端末により入力された文字データを逐次に受信する手段と、
前記文字入力手段により入力された文字データを、逐次に前記提供者の端末に送信する手段と、備える、（３８）乃至（４０）記載の利用者の端末。【０１１１】
（４１）の構成によれば、上記（９）と同様の作用効果を有する利用者の端末を提供することができる。【０１１２】
（４２）  前記提供者の端末から受信する手段において、前記提供者の端末と直接接続することによりピアツーピア通信を行う、（３８）乃至（４１）記載の利用者の端末。【０１１３】
（４２）の構成によれば、上記（１０）と同様の作用効果を有する利用者の端末を提供することができる。【０１１４】
（４３）  前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記利用者の端末は、商品又は役務に関するビデオ選択データを前記サーバに送信する手段と、
前記サーバにより送信された前記提供者の肖像を含むビデオデータを受信し、前記利用者の端末の前記出力手段に出力する手段と、を備える、（３８）乃至（４２）記載の利用者の端末。【０１１５】
（４３）の構成によれば、上記（１１）と同様の作用効果を有する利用者の端末を提供することができる。【０１１６】
（４４）  前記商品又は役務の売買が成立した場合に、商品又は役務の売買に関する決済を行う前記サーバと決済に関するデータの送受信を行う手段を備え、
前記決済に関するデータの送受信を行う手段は、前記サーバに、前記商品又は役務の売買による支払金額を示す金額データを送信する、（３８）乃至（４３）記載の利用者の端末。【０１１７】
（４４）の構成によれば、上記（１２）と同様の作用効果を有する利用者の端末を提供することができる。【０１１８】
（４５）  商品又は役務の提供を行う複数の端末とネットワークを介して接続された前記商品又は役務を提供する提供者の端末であって、
前記複数の端末と前記ネットワークを介して接続されるサーバは、前記提供者が取扱う前記商品又は役務に関するデータを、前記提供者を示すデータと関連付けてデータベースに記憶しており、
前記提供者の端末は、前記サーバから送信された前記商品又は役務の提供を受ける利用者を特定するデータを受信したことに応じて、前記提供者の端末が有する撮影手段により撮影した前記提供者の肖像を含む画像データを、前記利用者の端末に送信する手段と、を備える、提供者の端末。【０１１９】
（４５）の構成によれば、上記（１）と同様の作用効果を有する提供者の端末を提供することができる。【０１２０】
（４６）  前記利用者の端末に送信する手段は、撮影した前記画像データを逐次に送信する、（４５）記載の提供者の端末。【０１２１】
（４６）の構成によれば、上記（３）と同様の作用効果を有する提供者の端末を提供することができる。【０１２２】
（４７）  前記利用者の端末から送信される前記利用者の端末が有する撮影手段により撮影された画像データを、逐次受信する手段と、
受信した前記画像データを提供者の端末が有する出力手段に出力する手段と、を備える、（４５）又は（４６）記載の提供者の端末。【０１２３】
（４７）の構成によれば、上記（４）と同様の作用効果を有する提供者の端末を提供することができる。【０１２４】
（４８）  前記提供者の端末が送信する画像データは、前記撮影手段により撮影した前記商品又は役務に関する画像データを更に含む、（４５）乃至（４７）記載の提供者の端末。【０１２５】
（４８）の構成によれば、上記（５）と同様の作用効果を有する提供者の端末を提供することができる。【０１２６】
（４９）  前記提供者の端末は、音声の入力を受け付ける音声入力手段を有し、
前記画像データと共に前記音声入力手段により入力された音声データを送信する手段を備える、（４５）乃至（４８）記載の提供者の端末。【０１２７】
（４９）の構成によれば、上記（６）と同様の作用効果を有する提供者の端末を提供することができる。【０１２８】
（５０）  前記提供者の端末は、文字の入力を受け付ける文字入力手段を有し、
前記画像データと共に前記文字入力手段により入力された文字データを送信する手段を備える、（４５）乃至（４９）記載の提供者の端末。【０１２９】
（５０）の構成によれば、上記（７）と同様の作用効果を有する提供者の端末を提供することができる。【０１３０】
（５１）  入力された前記文字データを、異なる言語に翻訳した文字データに変換する手段を備える、（５０）記載の提供者の端末。【０１３１】
（５１）の構成によれば、上記（８）と同様の作用効果を有する提供者の端末を提供することができる。【０１３２】
（５２）  入力された前記文字データを逐次に前記利用者の端末に送信する手段と、
前記利用者の端末から送信された前記文字データを、逐次に受信する手段と、を備える、（５０）又は（５１）記載の提供者の端末。【０１３３】
（５２）の構成によれば、上記（９）と同様の作用効果を有する提供者の端末を提供することができる。【０１３４】
（５３）  前記利用者の端末に送信する手段において、前記利用者の端末と直接接続することによりピアツーピア通信を行う、（４５）乃至（５２）記載の提供者の端末。【０１３５】
（５３）の構成によれば、上記（１０）と同様の作用効果を有する提供者の端末を提供することができる。【０１３６】
（５４）  前記データベースに前記提供者を示すデータ及び前記商品又は役務に関するデータと関連付けて記憶させるために、予め前記提供者の肖像を含むビデオデータを前記撮影手段により撮影し、送信する手段を備える、（４５）乃至（５３）記載の提供者の端末。【０１３７】
（５４）の構成によれば、上記（１１）と同様の作用効果を有する提供者の端末を提供することができる。【０１３８】
（５５）  前記商品又は役務の売買が成立した場合に、商品又は役務の売買に関する決済を行う前記サーバと決済に関するデータの送受信を行う手段を備える、（４５）乃至（５４）記載の提供者の端末。【０１３９】
（５５）の構成によれば、上記（１２）と同様の作用効果を有する提供者の端末を提供することができる。【０１４０】
（５６）  ネットワークを介して接続された複数の端末により商品又は役務の提供を行うシステムであって、
前記複数の端末と前記ネットワークを介して接続されるサーバは、商品又は役務の提供者が取扱う前記商品又は役務に関するデータを、前記提供者を示すデータと関連付けてデータベースに記憶しており、
利用者による端末の操作に基づき、前記利用者の端末が、前記サーバから前記商品又は役務に関する照会結果データを受信し、前記利用者の端末が有する出力手段に出力する手段と、
前記利用者の端末が、出力した前記照会結果データから一の前記商品又は役務に関するデータの選択を受け付けたことに応じて、前記選択を示す選択データを、前記利用者を特定するデータと共に前記サーバに送信する手段と、
前記サーバが、受信した前記選択データに基づき、前記データベースを検索することにより前記提供者を特定する手段と、
前記サーバが、受信した前記利用者を特定するデータを、特定した前記提供者の端末に送信する手段と、
前記提供者の端末が、前記利用者を特定するデータを受信したことに応じて、前記提供者の端末が有する撮影手段により撮影した前記提供者の肖像を含む画像データを、前記利用者の端末に送信する手段と、
前記利用者の端末が、受信した前記画像データを前記出力手段に出力する手段と、を備える、システム。【０１４１】
（５６）の構成によれば、上記（１）と同様の作用効果を有するシステムを提供することができる。【０１４２】
（５７）  前記データベースは、前記商品又は役務の提供を受けることができる利用者を会員として登録した会員データを有しており、
前記サーバが、受信した前記利用者を特定するデータに基づき前記利用者の前記会員データが存在するか否かを判断する手段と、
前記サーバが、前記利用者の前記会員データが存在する場合にのみ、受信した前記利用者を特定するデータを、前記提供者の端末に送信する手段と、を備える、（５６）記載のシステム。【０１４３】
（５７）の構成によれば、上記（２）と同様の作用効果を有するシステムを提供することができる。【０１４４】
（５８）  撮影した前記画像データは、逐次に前記利用者の端末に送信され、前記出力手段に出力される、（５６）又は（５７）記載のシステム。【０１４５】
（５８）の構成によれば、上記（３）と同様の作用効果を有するシステムを提供することができる。【０１４６】
（５９）  前記利用者の端末は、撮影手段を有し、
前記撮影手段により撮影された画像データは、逐次に前記提供者の端末に送信され、前記提供者の端末が有する出力手段に出力される、（５６）乃至（５８）記載のシステム。【０１４７】
（５９）の構成によれば、上記（４）と同様の作用効果を有するシステムを提供することができる。【０１４８】
（６０）  前記提供者の端末が送信する画像データは、前記撮影手段により撮影した前記商品又は役務に関する画像データを更に含む、（５６）乃至（５９）記載のシステム。【０１４９】
（６０）の構成によれば、上記（５）と同様の作用効果を有するシステムを提供することができる。【０１５０】
（６１）  前記提供者の端末は、音声の入力を受け付ける音声入力手段を有し、
前記提供者の端末が、前記画像データと共に前記音声入力手段により入力された音声データを送信する手段を備える、（５６）乃至（６０）記載のシステム。【０１５１】
（６１）の構成によれば、上記（６）と同様の作用効果を有するシステムを提供することができる。【０１５２】
（６２）  前記提供者の端末は、文字の入力を受け付ける文字入力手段を有し、
前記提供者の端末が、前記画像データと共に前記文字入力手段により入力された文字データを送信する手段を備える、（５６）乃至（６１）記載のシステム。【０１５３】
（６２）の構成によれば、上記（７）と同様の作用効果を有するシステムを提供することができる。【０１５４】
（６３）  前記サーバ又は前記提供者の端末が、入力された前記文字データを、異なる言語に翻訳した文字データに変換する手段を備える、（６２）記載のシステム。【０１５５】
（６３）の構成によれば、上記（８）と同様の作用効果を有するシステムを提供することができる。【０１５６】
（６４）  前記利用者の端末は、文字の入力を受け付ける文字入力手段を有し、
前記提供者の端末が、入力された前記文字データを逐次に前記利用者の端末に送信する手段と、
前記利用者の端末が、前記文字入力手段により入力された前記文字データを、逐次に前記提供者の端末に送信する手段と、を備える、（６２）又は（６３）記載のシステム。【０１５７】
（６４）の構成によれば、上記（９）と同様の作用効果を有するシステムを提供することができる。【０１５８】
（６５）  前記提供者の端末が前記利用者の端末に送信する手段において、前記提供者の端末と前記利用者の端末とが直接接続することによりピアツーピア通信を行う、（５６）乃至（６４）記載のシステム。【０１５９】
（６５）の構成によれば、上記（１０）と同様の作用効果を有するシステムを提供することができる。【０１６０】
（６６）  前記サーバは、前記提供者の端末が予め前記撮影手段により撮影した前記提供者の肖像を含むビデオデータを受信して、前記提供者を示すデータ及び前記商品又は役務に関するデータと関連付けてデータベースに記憶しており、
前記サーバが、前記利用者の端末から受信した商品又は役務に関するビデオ選択データに基づいて前記提供者の肖像を含むビデオデータを抽出し、前記利用者の端末に送信する手段と、
前記前記利用者の端末が、送信された前記提供者の肖像を含むビデオデータを受信し、前記利用者の端末の前記出力手段に出力する手段と、を備える、（５６）乃至（６５）記載のシステム。【０１６１】
（６６）の構成によれば、上記（１１）と同様の作用効果を有するシステムを提供することができる。【０１６２】
（６７）  前記商品又は役務の売買が成立した場合に、前記利用者の端末及び前記提供者の端末が、前記サーバと決済に関するデータの送受信を行う手段と、
前記サーバが、受信した前記決済に関するデータに基づき、商品又は役務の売買に関する決済を行う手段と、を更に含み、
前記決済を行う手段において、前記利用者から送信された前記商品又は役務の売買による支払金額を示す金額データに基づき決済を行う、（５６）乃至（６６）記載のシステム。【０１６３】
（６７）の構成によれば、上記（１２）と同様の作用効果を有するシステムを提供することができる。【０１６４】
（６８）  前記金額データが日本円のデータである、（６７）記載のシステム。【０１６５】
（６８）の構成によれば、上記（１３）と同様の作用効果を有するシステムを提供することができる。【０１６６】
（６９）  前記商品又は役務は、前記商品ごと、又は前記役務の提供の都度、品質が異なるものを含む、（５６）乃至（６８）記載のシステム。【０１６７】
（６９）の構成によれば、上記（１４）と同様の作用効果を有するシステムを提供することができる。【０１６８】
（７０）  前記役務は、各種専門家による相談の提供を含む、（５６）乃至（６９）記載のシステム。【０１６９】
（７０）の構成によれば、上記（１５）と同様の作用効果を有するシステムを提供することができる。
【発明の効果】
【０１７０】
本発明によれば、利用者に対して商品又は役務の提供者の信用を担保しつつ商品又は役務を購入することができる方法、サーバ、端末、及びシステムを提供することができる。
【図面の簡単な説明】
【０１７１】
【図１】本発明の実施形態の一例に係る商品又は役務の提供システムの全体構成を示す図である。
【図２】本発明の実施形態の一例に係るサーバの記憶部に記憶される提供者テーブルを示す図である。
【図３】本発明の実施形態の一例に係るサーバの記憶部に記憶される会員テーブルを示す図である。
【図４】従来技術で提供可能な実施形態の一例に係る利用者の利用方法を示す図である。
【図５】本発明の実施形態の一例に係る会員の利用方法を示す図である。
【図６】本発明の実施形態の一例に係る会員又は利用者の端末から商品又は役務の提供を受ける場合の処理フローである。
【図７】図６の変形例であり、利用者が異なる言語を使用する者である場合に、提供者端末により文字データの変換処理を行う場合の処理フローである。
【図８】図６の変形例であり、利用者が異なる言語を使用する者である場合に、サーバにより文字データの変換処理を行う場合の処理フローである。
【図９】本発明の実施形態の一例に係る決済処理を行う場合の処理フローである。
【図１０】本発明の実施形態の一例に係るサーバのハードウェア構成を示す図である。
【図１１】本発明の実施形態の一例に係る端末のハードウェア構成を示す図である。
【図１２】本発明の実施形態の一例に係る子育て環境支援システムの全体構成を示す図である。
【図１３】本発明の実施形態の一例に係る図１に示す子育て環境支援システムの処理の流れ図である。
【図１４】本発明の実施形態の一例に係る専門家情報送信処理の流を示す図である。
【図１５】本発明の実施形態の一例に係る専門家相談実施処理の流を示す図である。
【図１６】本発明の実施形態の一例に係る父子・母子健康手帳の一例を示す図である。
【図１７】本発明の実施形態の一例に係る会員カードの一例を示す図である。
【図１８】本発明の実施形態の一例に係る情報誌の一例を示す図である。
【図１９】本発明の実施形態の一例に係るステッカーの一例を示す図である。
【図２０】本発明の実施形態の一例に係る乳児身体発育曲線グラフの一例を示す図である。
【符号の説明】
【０１７２】
１      システム
１０    サーバ
１１    制御部
１２    受信手段
１３    抽出手段
１４    送信手段
１７    記憶部
１８    提供者ＤＢ
１８ａ  コールセンタＤＢ
１８ｂ  提携企業ＤＢ
１８ｃ  サポート団体ＤＢ
１８ｄ  アドバイス情報ＤＢ
１８ｅ  医療・行政サービスＤＢ
１９    会員ＤＢ
２０    端末
２１    マイク
２２    カメラ
３０    通信回線（インターネット）
３１    専用通信回線
４０    サポート団体のシステム
４１    カード会社のシステム
４２    医療・行政機関のシステム
４３    専門機関のシステム
４４    交通機関のシステム
４５  提携企業のシステム
４６  観光会社のシステム
５０  支援企業・ＮＰＯ提携手段
５１  専門家アドバイス支援サポート手段
５２  コールセンタ業務・情報サービス手段
５３  地域企業認定・提携手段
５４  人材派遣・リクルート提供手段
５５  情報誌発行手段
５６  父子・母子健康手帳管理手段
５７  カード発行・管理手段
５８  医療機関・行政サービス支援手段
５９  地域観光誘致事業展開手段
７０ａ、７０ｂ  父子・母子健康手帳
７２ａ、７２ｂ  会員カード
７４ａ、７４ｂ  情報誌
７６ａ、７６ｂ  ステッカー
【発明を実施するための形態】
【０１７３】
以下、本発明を実施するための最良の形態について図を参照しながら説明する。なお、これはあくまでも一例であって、本発明の技術的範囲はこれに限られるものではない。
【０１７４】
［システムの全体構成］
図１は、本発明の好適な実施形態の一例に係る商品又は役務の提供システム１（以下、システム１ともいう）の全体構成を示す図である。
【０１７５】
本発明を構成するシステム１は、サーバ１０、複数の端末２０、及び通信回線を有するものであり、サーバ１０は、通信回線３０を介して、端末２０と接続されている。端末２０は、商品又は役務の提供を受ける利用者端末２０ａ、商品又は役務を提供する提供者端末２０ｂ、及び、利用者のうち特にサーバ１０で管理する会員が利用する会員端末２０ｃがある。提供者端末２０ｂには、提供者を撮影するカメラ２２が提供者端末２０ｂに備え付けられている。なお、カメラ２２は、提供者端末２０ｂに備え付けのものでも、別体のものでもよい。また、端末２０は、図１ではパーソナルコンピュータとして記載しているが、これに限らず、通信機能及び撮影機能を有した携帯電話機や、携帯情報端末等であってもよい。また、提供者端末２０ｂは、カメラ２２が必須であるが、他の端末２０においても、カメラ２２を備えてもよい。通信回線３０は、例えばインターネットを指す。
【０１７６】
また、サーバ１０は、商品又は役務の提供者と需要者である利用者とを結びつける役割を果たす。サーバ１０は、利用者端末２０ａから送信された購入データを受信し、該当のデータの提供者を検索の上、利用者端末２０ａに提供者データを送信する。更に、利用者端末２０ａから提供者へのコンタクトを依頼するデータを受信し、該当の提供者端末２０ｂに利用者のデータを送信する。このような橋渡しの役割を果たすことにより、以後、利用者端末２０ａと、提供者端末２０ｂとが通信する。このような仕組みにより、提供者は提供したい商品又は役務提供し、利用者は欲しい商品又は役務を得ることができる。
【０１７７】
なお、会員端末２０ｃを使用する者である会員とは、システム１を積極的に使用する者であり、会員データを会員データベース（以降、ＤＢとも書く。）に登録した者である。特に、会員は、個人情報を会員ＤＢに登録したものであるため、素性が分かる者である。そのため、他の利用者との差別化を図り、ある機能以降は、会員端末２０ｃにのみ提供する、ということができる。
【０１７８】
サーバ１０は、制御部１１及び記憶部１７を備えており、制御部１１には、主に受信手段１２、抽出手段１３、及び送信手段１４を有する。また、記憶部１７には、商品又は役務の提供者が取り扱う商品又は役務に関するデータを格納する提供者ＤＢ１８と、会員登録した利用者のデータを格納する会員ＤＢ１９とを有する。サーバ１０は、端末２０から送信された各種データを、受信手段１２によって受信し、抽出手段１３により、各種データに基づき検索し、送信手段１４によって、検索したデータを送信した端末２０又は他の端末２０に送信する。
【０１７９】
［テーブルの構成］
図２及び図３は、本発明の好適な実施形態の一例に係るサーバ１０の記憶部１７に記憶される各種テーブルを示す図である。図２は、提供者ＤＢ１８に記憶される提供者テーブル１８Ｔを示す。
【０１８０】
図２に示す提供者テーブル１８Ｔは、主に提供者を一意に定めるコードである「提供者ＩＤ」、提供者が提供する商品又は役務を表す「商品又は役務名」、商品又は役務に関する画像データである「ビデオデータ」、及び当該商品又は役務が使用済か否かを表す「済フラグ」を記憶している。
【０１８１】
「提供者ＩＤ」は、商品又は役務の提供者がシステム１を使用する際に一意に採られるＩＤであり、他にＤＢとして、提供者の個人情報を入力するＤＢを有してもよい。また、「商品又は役務名」には、提供者が提供したい商品又は役務名が入力されている。図２では、分類をしていないが、分類コードを設けて分類してもよい。また、「ビデオデータ」は、予め提供者が提供者端末２０ｂに備えたカメラ２２で撮影した当該商品又は役務に関する画像データや、提供者自身を撮影した肖像の画像データが１つのデータとして格納されている。図２では、「ビデオデータ」には、画像データそのものを格納するようになっているが、画像データ自身は別のＤＢに格納し、格納されたＤＢへのリンク情報を「ビデオデータ」に格納するようにしてもよい。更に、「済フラグ」は、商品又は役務を扱っているか否かを表すものであり、扱っている場合には「０」を、既に購入済であり扱っていない場合には「１」を入力する。
【０１８２】
例えば、図２に示す最上位のレコードは、提供者ＩＤが「ａ１２３」である提供者が提供したい商品又は役務名は「手作りアクセサリー」であり、この「手作りアクセサリー」の画像データが「ａ１２３０１．ＡＶＩ」という名前で記憶されており、更に、済フラグが「０」であり、まだこの商品を販売中であることを示す。
【０１８３】
また、別の観点から見ると、提供者ＩＤが「ａ１２３」の提供者は、その他に「古着（男児３才）」と「古本（マンガ、「○△×」）」とを提供していたが、既に「古着（男児３才）」は購入済であり、現在は、「手作りアクセサリー」の他には「古本（マンガ、「○△×」）」を提供していることを表している。
【０１８４】
なお、図２の例では、ビデオデータには、ＡＶＩ（Ａｕｄｉｏ  Ｖｉｄｅｏ  Ｉｎｔｅｒｌｅａｖｅ）、ｍｐ４、ｍｏｖ等の各種フォーマットにより作成された画像データが格納されているが、これに限られない。しかし、端末２０に標準装備されたソフトウェアにて視聴できる形式であることが望ましい。
【０１８５】
図３は、会員ＤＢ１９に記憶される会員テーブル１９Ｔを示す。図３に示す会員テーブル１９Ｔは、主に会員である利用者を一意に定めるコードである「会員ＩＤ」と、その属性情報として、会員ＩＤに関連付けられた会員の「氏名」、会員が使用する言語を表す「使用言語」等を記憶している。
【０１８６】
「会員ＩＤ」は、商品又は役務の提供を受ける者がシステム１を使用する際に、会員登録をした場合に一意に採られるＩＤである。また、属性情報として格納される「氏名」には、会員登録をした会員の氏名が登録されている。また、「使用言語」には、システム１を使用するにあたって用いる言語が登録されている。なお、図３には特に記載をしていないが、必要な或いは任意の各種情報を登録していてよい。例えば、年齢を登録することにより、会員のニーズにより合致した情報を会員端末２０ｃに送信することができる。また、口座情報、住所、及び電話番号を登録することで、商品又は役務の購入時の決済処理及び配達処理をスムーズに行うことができる。
【０１８７】
例えば、図３に示す最上位のレコードは、会員ＩＤが「Ｘ０４００１」であるシステム１を利用する会員の名前が「丸山和子」であり、母国語を「日本語」としている者であることを示す。
【０１８８】
［実施例１］
図４は、従来技術で提供可能な実施形態の一例に係る利用者の利用方法を示す図である。利用者とは、システム１を使用して商品又は役務を購入しようと考えている者であるが、未だ会員登録がされていない者を指す。従って、サーバ１０には一切の利用者の個人情報を保有していない。
【０１８９】
図４の（ａ）では、利用者が利用者端末２０ａを用いて、商品又は役務を選択している様子を示したものである。利用者が使用している利用者端末２０ａには、商品又は役務名である「手作りアクセサリー」という文字がリンクデータとして表示されている。このリンクデータは、サーバ１０と、利用者端末２０ａとの通信により、利用者端末２０ａの画面に表示されるものである。他方、提供者端末２０ｂには、利用者端末２０ａからのデータが送信されておらず、利用者端末２０ａとの通信も成立していない。そのため、提供者端末２０ｂには何らの情報も画面に表示されていない。利用者が利用者端末２０ａに表示された「手作りアクセサリー」のリンクをクリックすることで、サーバ１０の記憶部１７に格納されたデータが表示される。
【０１９０】
この図４の（ａ）の例では、提供者は、提供者端末２０ｂからサーバ１０に商品又は役務に関する提供データを送信し、サーバ１０の記憶部１７に格納する。他方、利用者は、利用者端末２０ａを利用してサーバ１０と通信し、希望の商品又は役務に関するデータを取得し、購入する、というものであり、利用者と提供者とは、オンラインでやりとりをすることがない。
【０１９１】
他方、図４の（ｂ）は、利用者と提供者とが、通信回線３０を経由してやりとりを行うものであり、提供者端末２０ｂに、利用者端末２０ａの情報が送信されたときの様子を示したものである。提供者端末２０ｂの画面には、利用者端末２０ａから送信された情報が表示されている。この例では、利用者の名前が特定できないため、名前を表示する場所には、匿名である「ゲストさん」と表示されている。また、提供者が提供する商品又は役務であって、サーバ１０に予め送信し、格納した商品又は役務に関するデータである、「手作りアクセサリー」について現在照会がされていることを示している。
【０１９２】
提供者端末２０ｂには、マイク２１及びカメラ２２が備え付けられている。カメラ２２は、後述で説明するが、予め提供したい商品又は役務を撮影するために用いるものであり、利用者と直接画像データのやりとりをするものではない。若しくは、利用者と直接やりとりをする場合であっても、対象の商品を提供者の目線で撮影するためのものであり、提供者がヘッドセット型のマイク２１付きカメラ２２を操作するものである（図示せず）。また、マイク２１は、利用者端末２０ａからの照会に対し、音声で回答する場合に用いられる。なお、マイク２１及びカメラ２２は、図４に示した形態に限られない。
【０１９３】
また、利用者端末２０ａの画面には、手作りアクセサリーの画像が表示されている。これは、予め提供者がカメラ２２により撮影したものを表示する。画像は、静止画でも動画でもよい。なお、この例では、利用者端末２０ａには画像を表示するものとしているが、提供者ＤＢ１８に格納されている各種情報を文字データで表示する場合もある。
【０１９４】
このように、従来の利用方法では、提供者の「顔」という要素は現れない。従って、利用者はバーチャルに商品を購入することができるとしても、提供者の信用を、例えば当該システムを提供している企業等の他の要素に頼らざるを得ない。また、悪意に満ちた提供者であっても、それを知る術が乏しい。
【０１９５】
［実施例２］
図５は、本発明の好適な実施形態の一例に係る会員の利用方法を示す図である。会員とは、システム１を使用して商品又は役務を購入しようと考えている者であり、かつ、サーバ１０に会員登録をした者を指す。従って、サーバ１０には会員の個人情報を保有している。
【０１９６】
図５の（ａ）では、会員が会員端末２０ｃを用いて、商品又は役務の提供者とやりとりをしている様子を示したものである。会員が使用している会員端末２０ｃには、提供者の表情が画像として表示されている。他方、提供者端末２０ｂには、利用者端末２０ａからのデータが送信されており、会員情報が表示されている。また、会員がマイク２１を使用して行った指示により、提供者の表情を変化させ、その様子を観察することができる。
【０１９７】
このように、相手に対する信頼を、個人情報等の情報によらず、表情を見ることによって得ることができる。よって、会員端末２０ｃの画面に提供者の表情が表示されることにより、会員は、安心感をもって商品又は役務の購入をすることができるのである。また、提供者は、会員である者からの照会であり、素性が知れている者であるため、安心感を得られる。
【０１９８】
図５の（ｂ）は、会員端末２０ｃがカメラ２２を有する場合の例である。提供者端末２０ｂには、会員の表情が画像として表示されている。よって、会員と提供者が、それぞれ会員端末２０ｃ及び提供者端末２０ｂに表示されたお互いの表情を見ながら、商品又は役務に関する情報のやりとりを行うことができる。例えば、会員端末２０ｃに提供者の表情が表示されている場合に、会員が、マイク２１に向かって、「商品をもっとよく見せてください！」等と言うことによって、提供者端末２０ｂにその音声が送信され、音声を聞いた提供者が、該当の商品をカメラ２２に近づけて、「これで見えますか？」とマイク２１に向かって言うやりとりを行うことができる。このようなやりとりによって、店舗で買い物できるかのように不便なく、商品又は役務の提供を行うことができる。
【０１９９】
特に、カウンセリング等の役務の提供には、会員の端末にカメラ２２を有することがより効果的である。例えば、病気に関するカウンセリングの場合に、提供者が、どのような病状かを聞く際にも、カウンセリングを行う会員の表情を見たり、例えば、喉の奥を見る、目が充血してないかを見るということができ、より問題解決に即した情報を得ることができる。
【０２００】
［処理フロー１］
図６は、本発明の好適な実施形態の一例に係る会員端末２０ｃ又は利用者端末２０ａから商品又は役務の提供を受ける場合の処理フローを示したものである。先ずは、会員端末２０ｃ又は利用者端末２０ａの処理について説明する。
【０２０１】
まず、ステップＳ１０１では、会員端末２０ｃ又は利用者端末２０ａの制御部は、商品又は役務の提供を受けるにあたり、サーバ１０に照会データを送信する。
【０２０２】
ステップＳ１０２では、会員端末２０ｃ又は利用者端末２０ａの制御部は、サーバ１０から送信された会員端末２０ｃ又は利用者端末２０ａからの照会データに基づく結果データを受信する。その後、会員端末２０ｃ又は利用者端末２０ａの制御部は、処理をステップＳ１０３に移す。ステップＳ１０３では、会員端末２０ｃ又は利用者端末２０ａの制御部は、画面に照会結果を表示する。これは、照会結果を一覧により表示すること等が考えられる。その後、会員端末２０ｃ又は利用者端末２０ａの制御部は、処理をステップＳ１０４に移す。
【０２０３】
ステップＳ１０４では、会員端末２０ｃ又は利用者端末２０ａの制御部は、照会結果から一の商品又は役務に関するビデオデータの選択を行うことに応じて、サーバ１０にビデオ選択データを送信する。
【０２０４】
ステップＳ１０５では、会員端末２０ｃ又は利用者端末２０ａの制御部は、ビデオデータをサーバ１０から受信する。受信したビデオデータを会員端末２０ｃ又は利用者端末２０ａの画面に表示させることにより、商品又は役務に関する情報と共に、商品又は役務の提供者の肖像を見ることができる。これにより、利用者又は会員は、商品又は役務を購入するのにふさわしい相手であるか否かを判断することができる。その後、会員端末２０ｃ又は利用者端末２０ａの制御部は、処理をステップＳ１０６に移す。
【０２０５】
ステップＳ１０６では、会員端末２０ｃ又は利用者端末２０ａの制御部は、会員又は利用者により選択されたデータをサーバ１０に送信する。ここで、サーバ１０に送信される選択データとは、商品又は役務を購入するために、より具体的に行動を起こすべく、提供者に対して質問等を行うために、提供者端末２０ｂと通信を行うための選択データである。
【０２０６】
その後、ステップＳ１０７では、会員端末２０ｃの制御部は、提供者端末２０ｂから送信された選択データの提供者により撮影された画像データを受信する。その後、提供者端末２０ｂと、会員端末２０ｃとは、Ｐ２Ｐ（ピアツーピア）の通信によりやりとりされ、提供者端末２０ｂから送信した画像データがリアルタイム若しくはこれに準ずる速度で会員端末２０ｃに受信される。
【０２０７】
次に、サーバ１０及び提供者端末２０ｂの処理について説明する。
【０２０８】
ステップＳ２０１では、サーバ１０の制御部１１（受信手段１２）は、会員端末２０ｃ又は利用者端末２０ａから送信された照会データを受信する。照会データとは、商品又は役務に関するキーワードであってもよいし、予めサーバ１０から会員端末２０ｃ又は利用者端末２０ａに送信したカテゴリの一分類のデータであってもよい。その後、サーバ１０の制御部１１は、処理をステップＳ２０２に移す。ステップＳ２０２では、サーバ１０の制御部１１（抽出手段１３）は、照会データから対象の商品又は役務のデータを、提供者ＤＢ１８から抽出し、サーバ１０の制御部１１（送信手段１４）は、対象の商品又は役務のデータを会員端末２０ｃ又は利用者端末２０ａに送信する。この場合、会員端末２０ｃ又は利用者端末２０ａから送信される照会データに基づき、１つのデータに絞り込んでもよいし、関連するカテゴリのデータを複数送信するようにしてもよい。
【０２０９】
ステップＳ２０３では、サーバ１０の制御部１１（受信手段１２）は、会員端末２０ｃ又は利用者端末２０ａから送信されたビデオ選択データを受信する。その後、サーバ１０の制御部１１は、処理をステップＳ２０４に移す。ステップＳ２０４では、サーバ１０の制御部１１（抽出手段１３）は、ビデオ選択データから対象のビデオデータを提供者ＤＢ１８から抽出し、サーバ１０の制御部１１（送信手段１４）は、抽出したビデオデータを、会員端末２０ｃ又は利用者端末２０ａに送信する。なお、ビデオデータ送信の際に、例えば、ビデオ選択データを送信した利用者が会員であるか否かを判断し、会員でなければ、提供者の肖像を含まないビデオデータを送信するようにする等、会員か否かによって差別化を図ってもよい。
【０２１０】
ステップＳ２０５では、サーバ１０の制御部１１（受信手段１２）は、会員端末２０ｃ又は利用者端末２０ａから送信された選択データを受信する。その後、サーバ１０の制御部１１は、処理をステップＳ２０６に移す。ステップＳ２０６では、受信した選択データが会員端末２０ｃから送信されたものか否かを判断する。会員である場合と、そうでない場合で、その後の処理が異なる。具体的には、選択データに含まれる利用者を示すデータについて、サーバ１０の制御部１１（抽出手段１３）は、会員ＤＢ１９を検索することにより判断する。受信した選択データが会員端末２０ｃから送信されたものである場合（ステップＳ２０６の処理でＹＥＳが判断された場合）には、サーバ１０の制御部１１は、処理をステップＳ２０７に移す。他方、受信した選択データが会員端末２０ｃから送信されたものでなく、利用者端末２０ａから送信されたものである場合（ステップＳ２０６の処理でＮＯが判断された場合）には、サーバ１０の制御部１１は、本処理を終了する。具体的には、会員でないと以降の処理を行うことができないとの画面を利用者端末２０ａに表示させ、会員登録を促すようにしてもよいし、商品に関する購入に関しては、既存のインターネットショッピング同様な処理を行うようにしてもよい。
【０２１１】
ステップＳ２０７は、会員端末２０ｃから送信されたデータであった場合の処理を示す。ステップＳ２０７では、サーバ１０の制御部１１（抽出手段１３）は、選択データに基づき、提供者ＤＢ１８に記憶した商品又は役務の提供者を特定する。その後、サーバ１０の制御部１１（送信手段１４）は、提供者端末２０ｂに、利用者に関する情報と提供物の情報とを送信する。
【０２１２】
ステップＳ３０１では、提供者端末２０ｂの制御部は、サーバ１０から送信された利用者に関する情報と提供物の情報とを受信する。その後、提供者端末２０ｂの制御部は、処理をステップＳ３０２に移す。ステップＳ３０２では、提供者端末２０ｂの制御部は、カメラ２２により撮影された画像データを、会員端末２０ｃに送信する。なお、送信先は、サーバ１０から送信された利用者情報により特定できる。また、画像データとして提供者の表情の他に、会員端末２０ｃから送信された選択データに基づく該当の商品又は役務を撮影した画像データを含む。その後、会員端末２０ｃと提供者端末２０ｂとは、Ｐ２Ｐ（ｐｅｅｒ−ｔｏ−ｐｅｅｒ）通信により、購入に関するやりとりを行う。
【０２１３】
現在では、通信技術の発達がめまぐるしく、Ｐ２Ｐ通信技術を利用した比較的低速な回線でも高音質で安定した通話を実現できるＳｋｙｐｅというインターネット電話の無料ソフトウェアもあり、上記機能を容易に実現することが可能である。なお、図６では、会員端末２０ｃと提供者端末２０ｂとが、直接通信をする記載となっているが、サーバ１０を介して通信する仕組みとしてももちろんよい。
【０２１４】
［処理フロー：変形例１］
図７は、本発明の好適な実施形態の一例に係る会員端末２０ｃ又は利用者端末２０ａから商品又は役務の提供を受ける場合の第１の処理フローの変形例であり、利用者が異なる言語を使用する者である場合に、提供者端末２０ｂにより文字データの変換処理を行う例を示したものである。図７のステップＳ２１１は、図６のステップＳ２０６の処理の次の処理を示す。
【０２１５】
まず、ステップＳ２１１では、サーバ１０の制御部１１（抽出手段１３）は、選択データに基づき、提供者ＤＢ１８に記憶した商品又は役務の提供者を特定する。また、会員ＤＢ１９を参照し、会員の使用言語を抽出する。その後、サーバ１０の制御部１１（送信手段１４）は、提供者端末２０ｂに、利用者に関する情報として使用言語のデータを含む情報と、提供物の情報とを送信する。
【０２１６】
ステップＳ３１１では、提供者端末２０ｂの制御部は、サーバ１０から利用者に関する情報と提供物の情報とを受信する。この情報は提供者端末２０ｂの画面に表示されるようにしてもよい。その後、提供者端末２０ｂの制御部は、処理をステップＳ３１２に移す。ステップＳ３１２では、提供者端末２０ｂの制御部は、文字データの入力を受け付ける。文字データは、例えば、商品又は役務に関するものを入力することができる。チャットのようにあいさつ文などの会話データであってもよい。その後、提供者端末２０ｂの制御部は、処理をステップＳ３１３に移す。
【０２１７】
ステップＳ３１３では、提供者端末２０ｂの制御部は、入力された文字データを、先のステップＳ３１１で受け付けた利用者に関する情報に含む使用言語のデータと同一の言語に変換する。その後、提供者端末２０ｂの制御部は、処理をステップＳ３１４に移す。ステップＳ３１４では、提供者端末２０ｂの制御部は、変換した文字データと、提供者の肖像を含む画像データとを会員端末２０ｃに送信する。このような処理を行うことにより、会員たる利用者がどのような言語を使用言語とする人であっても、システム１を用いて商品又は役務の提供を受けることができる。
【０２１８】
ステップＳ１１１では、会員端末２０ｃの制御部は、提供者端末２０ｂから送信された画像データと文字データを受信する。受信された画像データ及び文字データは、会員端末２０ｃに表示される。その後、会員端末２０ｃの制御部は、処理をステップＳ１１２に移す。
【０２１９】
ステップＳ１１２では、会員端末２０ｃの制御部は、文字データの入力を受け付ける。文字データは、例えば、商品又は役務に関する質問事項に関するものを入力することができる。その後、会員端末２０ｃの制御部は、処理をステップＳ１１３に移す。ステップＳ１１３では、会員端末２０ｃの制御部は、入力された文字データを提供者端末２０ｂに送信する。この入力された文字データは、会員の使用言語で作成されたものである。例えば、会員が米国人である場合、文字データは、例えば英語で作成されたものになる。
【０２２０】
ステップＳ３１５では、提供者端末２０ｂの制御部は、ステップＳ１１３により会員端末２０ｃから送信された文字データを受信する。その後、提供者端末２０ｂの制御部は、処理をステップＳ３１６に移す。ステップＳ３１６では、提供者端末２０ｂの制御部は、受信した文字データを、提供者の言語に変換する。これは、会員の使用言語が既に提供者端末２０ｂに情報として送信されているため、それを用いることにより行うことができる。その後、提供者端末２０ｂの制御部は、処理をステップＳ３１７に移す。ステップＳ３１７では、変換後の文字データを、提供者端末２０ｂの画面に表示する。例えば、上述の例によれば、英語で作成され、送信された文字データが、提供者の使用言語である例えば日本語の文字データに変換され、提供者端末２０ｂの画面には、日本語で表示される。その後、提供者端末２０ｂの制御部は、処理をステップＳ３１２に移し、以降、提供者端末２０ｂと会員端末２０ｃとの間で、文字データのやりとりを行うことができる。
【０２２１】
本処理により、会員と提供者とで言語の異なる者同士であっても、文字データを提供者端末２０ｂにより変換することによって意思疎通を図ることができる。
【０２２２】
［処理フロー：変形例２］
図８は、本発明の好適な実施形態の一例に係る会員端末２０ｃから商品又は役務の提供を受ける場合の第２の処理フローの変形例であり、利用者が異なる言語を使用する者である場合に、サーバ１０により文字データの変換処理を行う例を示したものである。図８のステップＳ２２１は、図６のステップＳ２０６の処理の次の処理を示す。
【０２２３】
まず、ステップＳ２２１では、サーバ１０の制御部１１（抽出手段１３）は、選択データに基づき、提供者ＤＢ１８に記憶した商品又は役務の提供者を特定する。その後、サーバ１０の制御部１１（送信手段１４）は、提供者端末２０ｂに、利用者に関する情報と、提供物の情報とを送信する。
【０２２４】
ステップＳ３２１では、提供者端末２０ｂの制御部は、サーバ１０から利用者に関する情報と提供物の情報とを受信する。この情報は提供者端末２０ｂの画面に表示されるようにしてもよい。その後、提供者端末２０ｂの制御部は、処理をステップＳ３２２に移す。ステップＳ３２２では、提供者端末２０ｂの制御部は、文字データの入力を受け付け、文字データと、提供者の肖像を含む画像データとをサーバ１０に送信する。
【０２２５】
ステップＳ２２２では、サーバ１０の制御部１１（受信手段１２）は、ステップＳ３２２の処理で提供者端末２０ｂから送信された画像データと文字データとを受信する。その後、サーバ１０の制御部１１は、処理をステップＳ２２３に移す。ステップＳ２２３では、サーバ１０の制御部１１（抽出手段１３）は、会員ＤＢ１９を参照し、会員の使用言語から受信した文字データを会員が使用する言語の文字データに変換する。その後、サーバ１０の制御部１１は、処理をステップＳ２２４に移す。ステップＳ２２４では、サーバ１０の制御部１１（送信手段１４）は、受信した画像データと、変換した文字データとを会員端末２０ｃに送信する。
【０２２６】
ステップＳ１２１では、会員端末２０ｃの制御部は、サーバ１０から送信された画像データと文字データとを受信する。受信した画像データは会員端末２０ｃの画面に表示されると共に、会員の言語に変換された文字が表示される。その後、会員端末２０ｃの制御部は、処理をステップＳ１２２に移す。ステップＳ１２２では、会員端末２０ｃの制御部は、文字データの入力を受け付ける。文字データは、例えば、商品又は役務に関する質問事項に関するものである。その後、会員端末２０ｃの制御部は、処理をステップＳ１２３に移す。ステップＳ１２３では、会員端末２０ｃの制御部は、入力された文字データを、会員の肖像を含む画像データと共に提供者端末２０ｂに送信する。この入力された文字データは、会員の使用言語で作成されたものである。また、画像データは、会員端末２０ｃが有するカメラ２２により撮影されたものである。
【０２２７】
ステップＳ２２５では、サーバ１０の制御部１１（受信手段１２）は、ステップＳ１２３の処理で会員端末２０ｃから送信された画像データと文字データとを受信する。その後、サーバ１０の制御部１１は、処理をステップＳ２２６に移す。ステップＳ２２６では、サーバ１０の制御部１１（抽出手段１３）は、会員ＤＢ１９を参照し、会員の使用言語から受信した文字データの言語を特定し、提供者が使用する言語の文字データに変換する。その後、サーバ１０の制御部１１は、処理をステップＳ２２７に移す。ステップＳ２２７では、サーバ１０の制御部１１（送信手段１４）は、受信した画像データと、変換した文字データとを会員端末２０ｃに送信する。
【０２２８】
ステップＳ３２３では、提供者端末２０ｂの制御部は、サーバ１０から送信された画像データと文字データとを受信する。受信した画像データは提供者端末２０ｂの画面に表示されると共に、提供者の言語に変換された文字も表示される。その後、提供者端末２０ｂの制御部は、処理をステップＳ３２２に移し、以降、提供者端末２０ｂと会員端末２０ｃとの間で、サーバ１０を介して文字データと、画像データとのやりとりを行うことができる。
【０２２９】
このような、変形例により、言語の違いによる会員と提供者とのやりとりを円滑に行う補助機能を提供することができる。
【０２３０】
［処理フロー２］
図９は、本発明の好適な実施形態の一例に係る決済処理を行う場合の処理フローを示したものである。図９の決済を行うにあたり、会員端末２０ｃは、提供者端末２０ｂと、例えば図６に基づくやりとりを行っており、売買交渉が成立していることが前提となる。
【０２３１】
先ず、ステップＳ１５１では、会員端末２０ｃの制御部は、商品又は役務に関する購入データを送信する。この購入データには、購入する商品又は役務に関する情報の他、金額データをも含む。
【０２３２】
ステップＳ２５１では、サーバ１０の制御部１１（受信手段１２）は、会員端末２０ｃから送信された商品又は役務に関する購入データを受信する。その後、サーバ１０の制御部１１は、処理をステップＳ２５２に移す。
【０２３３】
他方、ステップＳ３５１では、提供者端末２０ｂの制御部は、商品又は役務に関する売上データを送信する。この売上データには、提供する商品又は役務に関する情報を含む。
【０２３４】
ステップＳ２５２では、サーバ１０の制御部１１（受信手段１２）は、提供者端末２０ｂから送信された商品又は役務に関する売上データを受信する。その後、サーバ１０の制御部１１は、処理をステップＳ２５３に移す。ステップＳ２５３では、サーバ１０の制御部１１は、決済処理を行う。具体的には、会員端末２０ｃから送信された購入データと、提供者端末２０ｂから送信された売上データとをマッチングし、同一の商品又は役務に関するものであるか否か、金額は一致しているか否か等を判断し、一致していれば、決済処理として、例えば、会員端末２０ｃから受信した金額を、提供者の口座に入金する。その後、サーバ１０の制御部１１は、処理をステップＳ２５４に移す。ステップＳ２５４では、サーバ１０の制御部１１は（送信手段１４）は、決済処理の結果データを会員端末２０ｃと、提供者端末２０ｂとに送信する。
【０２３５】
ステップＳ１５２では、会員端末２０ｃの制御部は、サーバ１０から送信された決済処理の結果データを受信する。同様に、ステップＳ３５２では、提供者端末２０ｂの制御部は、サーバ１０から送信された決済処理の結果データを受信する。これにより、決済が成立する。
【０２３６】
このように、システム１の商品又は役務の提供のためのシステムを使用して、会員と提供者とのやりとりを補助する機能を提供し、その結果として購入の交渉が成立した場合には、既存のネット決済手段を用いて、システム１にて決済処理までを行うことができる。これは、お互いの顔を見ながら、若しくは、会員は提供者の顔を見つつ、提供者は会員の情報を得ながら、強固な信頼関係を築くことにより、安心して決済処理を行うことができる。
【０２３７】
図１０及び図１１は、本発明の好適な実施形態の一例に係るサーバ１０及び端末２０のハードウェア構成を示す図である。先ず図１０にて、サーバ１０のハードウェア構成について説明し、図１１で、端末２０のハードウェア構成について、サーバ１０と異なる点のみ説明する。
【０２３８】
サーバ１０は、制御部１１を構成するＣＰＵ（Ｃｅｎｔｒａｌ  Ｐｒｏｃｅｓｓｉｎｇ  Ｕｎｉｔ）１１０（マルチプロセッサ構成ではＣＰＵ１１２等複数のＣＰＵが追加されてもよい）、バスライン１０５、通信Ｉ／Ｆ１４０、メインメモリ１５０、ＢＩＯＳ（Ｂａｓｉｃ  Ｉｎｐｕｔ  Ｏｕｔｐｕｔ  Ｓｙｓｔｅｍ）１６０、ＵＳＢポート１９０、Ｉ／Ｏコントローラ１７０、並びにキーボード及びマウス１８０等の入力手段や表示装置１２２を備える。
【０２３９】
Ｉ／Ｏコントローラ１７０には、テープドライブ１７２、ハードディスク１７４、光ディスクドライブ１７６、半導体メモリ１７８、等の記憶部１７を接続することができる。
【０２４０】
ＢＩＯＳ１６０は、サーバ１０の起動時にＣＰＵ１１０が実行するブートプログラムや、サーバ１０のハードウェアに依存するプログラム等を格納する。
【０２４１】
記憶部１７を構成するハードディスク１７４は、サーバ１０がサーバとして機能するための各種プログラム及び本発明の機能を実行するプログラムを記憶しており、更に必要に応じて各種データベースを構成可能である。
【０２４２】
光ディスクドライブ１７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１７７を使用する。光ディスク１７７から光ディスクドライブ１７６によりプログラム又はデータを読み取り、Ｉ／Ｏコントローラ１７０を介してメインメモリ１５０又はハードディスク１７４に提供することもできる。また、同様にテープドライブ１７２に対応したテープメディア１７１を主としてバックアップのために使用することもできる。
【０２４３】
サーバ１０に提供されるプログラムは、ハードディスク１７４、光ディスク１７７、又はメモリーカード等の記録媒体に格納されて提供される。このプログラムは、Ｉ／Ｏコントローラ１７０を介して、記録媒体から読み出され、又は通信Ｉ／Ｆ１４０を介してダウンロードされることによって、サーバ１０にインストールされ実行されてもよい。
【０２４４】
前述のプログラムは、内部又は外部の記憶媒体に格納されてもよい。ここで、記憶部１７を構成する記憶媒体としては、ハードディスク１７４、光ディスク１７７、又はメモリーカードの他に、ＭＤ等の光磁気記録媒体、テープ媒体を用いることができる。また、専用通信回線やインターネットに接続されたサーバシステムに設けたハードディスク１７４又は光ディスクライブラリー等の記憶装置を記録媒体として使用し、通信回線を介してプログラムをサーバ１０に提供してもよい。
【０２４５】
ここで、表示装置１２２は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【０２４６】
ここで、入力手段は、ユーザによる入力の受付を行うものであり、キーボード及びマウス１８０等により構成してよい。
【０２４７】
また、通信Ｉ／Ｆ１４０は、サーバ１０を専用ネットワーク又は公共ネットワークを介して端末と接続できるようにするためのネットワーク・アダプタである。通信Ｉ／Ｆ１４０は、モデム、ケーブル・モデム及びイーサネット（登録商標）・アダプタを含んでよい。
【０２４８】
以上の例は、サーバ１０について主に説明したが、コンピュータに、プログラムをインストールして、そのコンピュータをサーバ装置として動作させることにより上記で説明した機能を実現することもできる。従って、本発明において一実施形態として説明したサーバにより実現される機能は、上述の方法を当該コンピュータにより実行することにより、或いは、上述のプログラムを当該コンピュータに導入して実行することによっても実現可能である。
【０２４９】
図１１は、端末２０のハードウェア構成について示した図である。端末２０は、制御部を構成するＣＰＵ（Ｃｅｎｔｒａｌ  Ｐｒｏｃｅｓｓｉｎｇ  Ｕｎｉｔ）１１０、バスライン１０５、通信Ｉ／Ｆ１４０、メインメモリ１５０、ＢＩＯＳ（Ｂａｓｉｃ  Ｉｎｐｕｔ  Ｏｕｔｐｕｔ  Ｓｙｓｔｅｍ）１６０、ＵＳＢポート１９０、Ｉ／Ｏコントローラ１７０、並びにキーボード及びマウス１８０、ビデオカメラ１２０、及びマイク１２４等の入力手段や表示装置１２２を備える。
【０２５０】
ビデオカメラ１２０は、端末２０の操作者や端末２０の操作者が提供する提供物を撮影し、通信Ｉ／Ｆ１４０を介して送信するためのものである。ビデオカメラ１２０は、主に端末２０に備え付けられたＷｅｂカメラであり、動画を撮影できるものである。なお、ＵＳＢポート１９０を介して接続する外付けのビデオカメラ１２０であってもよい。
【０２５１】
マイク１２４は、端末２０の操作者の声を捉え、通信Ｉ／Ｆ１４０を介して送信するためのものである。マイク１２４は、端末２０に備え付けられたマイクである。なお、ＵＳＢポート１９０を介して接続する外付けのマイク１２４であってもよい。
【０２５２】
［実施例３］
図１２は、本発明の一実施例による子育て環境支援システムの構成図であり、図１３は、図１２に示すシステムの処理の流れ図である。システム１は、より具体的な実施例として、子育て環境支援に用いることができる。
【０２５３】
図１２において、サーバ１０は本発明の子育てＮＰＯ（Ｎｏｎｐｒｏｆｉｔ  Ｏｒｇａｎｉｚａｔｉｏｎ：民間非営利組織）法人による「○○ＮＰＯ」のサーバで、コンピュータシステムによるサーバ若しくはサーバ群であり、各手段はアプリケーションサーバ（図示せず）のソフトウェアを実行させることで機能する。
【０２５４】
３１は、会員カードを発行するカード会社のシステム４１と、警察や法律相談窓口等の専門機関のシステム４３と、県下・全国の子育て支援企業及び関連ＮＰＯのサポート団体のシステム４０と、認定病院等の医療機関及び当該地方の関連行政機関の医療・行政機関のシステム４２と、タクシー、バス、鉄道会社等の交通機関のシステム４４との間を、ＶＰＮ（Ｖｉｒｔｕａｌ  Ｐｒｉｖａｔｅ  Ｎｅｔｗｏｒｋ）等によりセキュリティを確保して接続する専用通信回線であり、３０は、不特定多数の利用者による会員端末２０ｃや、ベビー用品等の商店その他の関連企業の提携企業のシステム４５、観光会社のシステム４６等を繋ぐインターネット等の広域ネットワークを示す通信回線である。各システム４０から４６には、用途に応じて適宜提供者端末２０ｂが接続されており、提供者としての役割を果たす。
【０２５５】
１１はＮＰＯ法人「○○ＮＰＯ」のサーバ１０の制御部であり、必要に応じて、支援企業・ＮＰＯ提携手段５０、専門家アドバイス支援サポート手段５１、コールセンタ業務・情報サービス手段５２、地域観光誘致事業展開手段５３、人材派遣・リクルート提供手段５４、子育て情報誌発行手段５５、父子・母子健康手帳管理手段５６、カード発行・管理手段５７、医療機関・行政サービス支援手段５８、地域企業認定・提携手段５９の各手段が機能する。また、制御部１１は、専用通信回線３１の通信管理と、通信回線３０のサイトアクセス等を管理するＷｅｂサーバやメールサーバ等を含んで構成され、専用通信回線３１及び通信回線３０間の通信もコントロールする。
【０２５６】
利用者は、妊婦と認定されたら、父子・母子健康手帳管理手段５６によりサーバ１０及び行政機関のシステム４２を介して管轄の行政機関に父子・母子健康手帳を申請し、市役所等の行政窓口で、図１６（ａ）、（ｂ）に示すような父子・母子健康手帳７０ａ、７０ｂの交付を受ける。
【０２５７】
入会手続は、利用者が保有するＰＣ（パーソナルコンピュータ）等の端末２０からサーバ１０にアクセスするか、或いは郵送（宅配便）により行い、「○○ＮＰＯ」及びそのサーバ１０は、これを受け付け、登録情報をサーバ１０内に保存する。入会手続き申込書は所定のフォーマットに従い、Ｗｅｂ転送の場合はＨＴＴＰＳ等の暗号化セキュリティによる形態やＶＰＮ等の環境で転送処理される。会員資格としてはＮＰＯ法人「○○ＮＰＯ」を展開する県下に在住の、妊娠から就学前までの親子が対象となる。
【０２５８】
会員には、カード発行・管理手段５７により提携カード会社のシステム４１にアクセスして必要な情報を登録することで会員カード７２ａ、７２ｂが発行される。会員カード７２ａ、７２ｂは、図１７（ａ）、（ｂ）に示すような、簡単な個人特定情報と有効期限等を書き込んだ一般的な磁気カードが主体であるが、ＣＰＵ、メモリ、インターフェース（無線電波、光通信等の非接触型を含む）を内蔵した、電子マネー機能を含むマルチユース型のＩＣカードとすることも可能となる。これらの会員カード７２ａ、７２ｂは年度別或いは年齢別に色分けされ、身分証明書ともなり得る。会員登録が受け付けられると、「○○ＮＰＯ」から、サーバ１０による電子メール或いは封書による登録済みの通知として、「○○ＮＰＯ」会員としての会員ＩＤ、パスワード等が送付される。これらの会員登録情報は、全て会員ＤＢ１９に格納される。
【０２５９】
５２はコールセンタ業務・情報サービス手段であり、「○○ＮＰＯ」の組織内にサーバ１０と連携するＩＰ（Ｉｎｔｅｒｎｅｔ  Ｐｒｏｔｏｃｏ１）方式（Ｐ２Ｐ：Ｐｅｅｒ  ｔｏ  ｐｅｅｒ方式も含む）のＶｏＩＰ（Ｖｏｉｃｅ  ｏｖｅｒ  ＩＰ）ネットワークを構築して、端末相互間の通話も、海外との通話、及び通信の暗号化も可能なＩＰ電話を導入する。コールセンタ業務・情報サービス手段５２によりＶｏＩＰを利用し、地域の認定提携企業・ショップ等の提携企業のシステム４５から得られた商品情報等を、データベースより取り出し、音声認識・音声合成等を用いた自動化処理により会員への同時通報或いは個々の呼び出し通話により提供することや、サポート団体のシステム４０、医療行政機関のシステム４２、専門機関のシステム４３、交通機関のシステム４４、観光会社のシステム４６、等を介して得られた提携機関関連の各種情報や行政サービスの内容等の通知サービスも含めて提供する。その他、ＩＰを用いたビデオ映像やラジオ等の放送系のサービスも含めて併用する。こうしたＩＰ電話登録会員の会員リストやコールセンタ業務に不可欠な情報が、全てコールセンタＤＢ１８ａに格納される。
【０２６０】
５１は専門家アドバイス支援サポート手段であり、警察署や弁護士による法律相談等、各種専門家との相談窓口を、サーバ１０と接続する専門機関のシステム４３、及びコールセンタも活用して機能させる。この各専門家及び会員の相談内容等の情報は、アドバイス情報ＤＢ１８ｄに格納される。
【０２６１】
５０は支援企業・ＮＰＯ提携手段であり、各ＮＰＯ法人やサポート団体と事業提携を図り、サーバ１０と接続するサポート団体のシステム４０、及びコールセンタも利用してその活動を展開し、会員へのサービスを拡大する。こうした全国の仲間同士となる子育て支援企業と提携して協調関係を促進するＮＰＯ法人の情報は、サポート団体ＤＢ１８ｃに格納される。
【０２６２】
５９は地域企業認定・提携手段であり、地元のベビー用品等子育て関連製品を扱う認定提携企業や関連商品ショップ等の提携企業のシステム４５からのアクセスにより提携希望の受付審査をし、審査条件を満たした一定レベルの企業・ショップと提携して認定加盟金を納入して貰い、通信回線３０を介して商品情報の通報を受け付け、ポイント制等により会員への商品の割引提供を行ったり、情報誌を通じて紹介したり、認定ショップに対して会員との取引機会が増加するように会員情報を提供することで販売促進が図れるようにし、認定提携企業が「○○ＮＰＯ」を支える重要な構成員となる。これら認定提携企業の情報、商品情報等は、提携企業ＤＢ１８ｂに格納される。
【０２６３】
５８は医療機関・行政サービス支援手段であり、保健所を始め予防注射等のスケジュールを克明に把握して会員への確認を怠らないようにし、また、急病等の緊急事態には指定の医療機関で会員カード７２ａ、７２ｂを提示することで受け付けられるようなサービスを展開し、加えて会員カード７２ａ、７２ｂの利用に際しては、途中で利用するタクシー、バス、電車等の交通機関とも提携して料金の割引等のサービスを行い、医療費についても提携医療機関で会員カード７２ａ、７２ｂを提示することで、割引等のサービスが受けられるようにする。
【０２６４】
こうした提携医療機関、行政の子育て関連サービス情報や、会員の予防注射等の行政サービス項目、医療機関での治療内容、交通機関等の情報は、医療・行政サービスＤＢ１８ｅに格納される。
【０２６５】
５４は人材派遣・リクルート提供手段であり、出産・育児による中断で父母の仕事ができなくならないように、職場復帰、新規職場斡旋等の業務を拡充する。
【０２６６】
５５は子育てのための情報誌発行手段であり、図１８（ａ）、（ｂ）の表紙レイアウトに示すような「○○ＮＰＯ」会員向けに専門の情報誌７４ａ、７４ｂを発行する。会員参加型の会員専門の情報誌７４ａ、７４ｂは、例えば、月刊として認定提携企業特集取材誌を発行する等のスケジュールとする。この会員専門の情報誌７４ａ、７４ｂは、図１８（ｃ）に示すように創刊１年目から順に年毎に表紙のイメージカラーを変えて見易くしている。また、図１９（ａ）、（ｂ）に示すような「○○ＮＰＯ」ステッカー７６ａ、７６ｂも作成し、提携ショップ等に認定グッズ用として利用して貰ったり、会員等に販売したりすることで運営費の一部としてもよい。
【０２６７】
５３は地域観光誘致事業展開手段であり、提携旅行社等とタイアップし観光会社のシステム４６を介してその情報を得たり、海外の観光客をＩＰ電話等により直接勧誘したりして、国内、国外から観光客を誘致し運営費の捻出を図る。飽くまでも「○○ＮＰＯ」はＮＰＯであって利益追求が目的ではないので会員から会費は徴収するが、実費徴収として会員の経済的な負担を軽くするように計らい、初年度の年会費は無料等のサービスを行う。その他、情報誌の広告、Ｗｅｂサイトのバナー広告等の宣伝広告代や、観光収入等の臨時収入も運営費に当てることで潤滑な運営を目指す。
【０２６８】
次に、図１３のフローチャート（流れ図）を参照して動作について説明する。
【０２６９】
先ず、当ＮＰＯ法人としての「○○ＮＰＯ」の会員資格は、県下の妊娠から就学前までの子供と親を対象として会員登録をＷｅｂサイトや新聞・専門情報誌等の宣伝媒体を通じて公募する（ステップＳ１）。
【０２７０】
妊婦と診断された母親は管轄の行政窓口で図１６（ａ）、（ｂ）に示すような父子・母子健康手帳７０ａ、７０ｂを申請して受け取る（ステップＳ２）。
【０２７１】
現在、母子健康手帳は、妊娠が判明した際に渡すことが義務付けられており、厚生労働省が統括しているが、父子健康手帳は、各自治体が独自に発行しているもので、呼称もその内容も自治体毎に異なっている。母子健康手帳は、妊娠の届出をした際に都道府県知事より交付されるもので、妊婦と乳幼児が、医師、保健婦等の健康診査又は保健指導を受けたときに、必要な事項の記載を受けるべきことが母子保健法によって定められているものであり、その記載事項は妊婦の周産期の病歴、子の出生後の既往歴、予防接種記録、歯の状態、身長、体重、血液型等の疾病以外の健康に関する重要な情報が記載されている手帳である。
【０２７２】
利用者は、父子・母子健康手帳７０ａ、７０ｂの受取りと同時に手帳の内容を基に、「○○ＮＰＯ」のサーバ１０に会員端末２０ｃよりＷｅｂアクセスするか、又は宅配便等による郵送等で所定の様式の申込書を送付し、これを受け付けた「○○ＮＰＯ」では、サーバ１０によって受け付けられる会員申込み手続きにより必要事項が入力される（ステップＳ３）。
【０２７３】
サーバ１０は、カード発行・管理手段５７を通じ、登録会員に対しクレジットカード等のカード会社のシステム４１を介して必要事項の情報通信により会員カード７２ａ、７２ｂを発行する（ステップＳ５）。
【０２７４】
この会員カード７２ａ、７２ｂは、児童一人毎に発行され管理し易いように年度別又は年齢別に色分けされていて、会員ＩＤ、パスワードが付与され、会員カードのＩＤ、パスワード（暗号化されて保管）を含めて会員の登録情報は、全て会員ＤＢ１９に保管されて認証手続きに利用される。
【０２７５】
会員カード７２ａ、７２ｂは、一般的な磁気カードでもよいが、ＩＣカード形式とすることもできる。磁気カードの場合は、カードリーダ・ライタを備えた会員端末２０ｃ等からサーバ１０にアクセスすることで必要な情報の書き込み呼び出し及び認証が可能になるが、ＩＣカードの場合は、カードリーダ・ライタを会員端末２０ｃ等に備えて会員カード７２ａ、７２ｂ内に個人特定情報を記録することができる。
【０２７６】
また、妊娠初期等は外部からは見分けにくいが貧血による意識喪失等を起こし易い時期なので、その場合も、会員カード７２ａ、７２ｂを提示することによって、バス、タクシー、電車等の交通機関での座席優先等の各種サービスを、予めサーバ１０から交通機関のシステム４４を介して申し込み、必要事項の情報通信により享受できるようになり、車内で立ったままで急に倒れたりした場合の救急の際の対応や、料金割引等の優待サービス等も受けられる。
【０２７７】
更に、サーバ１０から提携企業のシステム４５を介して希望の認定提携企業に利用申し込みをすることで、その企業の商品購入の支払い決済用にも使用でき、その際にポイント制を活用してもよい。その他、サーバ１０から医療機関のシステム４２を介して所望の医療機関に申し込むことで、その医療機関の各種検診を利用することもでき、ＩＣカードの場合は、会員カード７２ａ、７２ｂに記録されている既往症等の情報を基に診断を受けることもできる。
【０２７８】
「○○ＮＰＯ」ではサーバ１０内のコールセンタ業務・情報サービス手段５２によって、会員及び提携機関による電話網を通信経費削減の観点から、ＩＰ電話方式を導入してＶｏＩＰによる電話連絡網を構築する（ステップＳ４）。
【０２７９】
これによって「○○ＮＰＯ」と会員間の各種情報提供、照会等のサービスが緊密にスムーズに展開できる。例えば、サーバ１０が地域の認定提携企業から提携企業のシステム４５を介して毎日子育て関連商品の情報を受け付け提携企業ＤＢ１８ｂに保存すると共に、会員端末２０ｃに特価商品情報として送信する等のサービスが可能になる。また、ＶｏＩＰを利用して国内、国外への観光客誘致等も推進できる。その他、「○○ＮＰＯ」では、その他の情報伝達手段としてＩＰテレビ電話、ネットワーク配信型テレビ、ラジオ放送等も企画する。
【０２８０】
また、会員は、サーバ１０の専門家アドバイス支援サポート手段５１により、警察、弁護士、司法書士、税理士、その他の相談窓口等、他人に相談できないような悩み事も、一人で抱え込まずに各専門家の専門機関のシステム４３を介して情報の授受を行い、会員端末２０ｃを用いて必要な情報をやりとりすることにより相談し解消することもできるようになる（ステップＳ６）。
【０２８１】
支援企業・ＮＰＯ提携手段５０は、地域及び全国の子育て支援企業及びＮＰＯ団体と、提携企業のシステム４５やサポート団体のシステム４０を介して必要な情報通信により提携関係を結び、親が急な用事のために子供の迎えができなくなったり、預けられなくなったりした場合等に、ファミリーサポートセンターのサービスが利用できたり支援が受けられるようになったり、更に、各都道府県別の子育て支援団体の事業内容を出し合い、単なるリンクレベルの提携ではなくコンテンツ管理まで踏み込んだ協調関係を結び、お互いの様々なサービス提供を補完発展させて、全国規模に拡大していけるように図る（ステップＳ７）。
【０２８２】
医療機関、行政サービス支援手段５８は、医療・行政機関のシステム４２を介して情報の授受を行い、父子・母子健康手帳７０ａ、７０ｂに従って、予防注射、健康診断のスケジュール等を、会員端末２０ｃを介して会員毎に確認・通知する等の支援サービスを行う（ステップＳ４）。このサービスは、コールセンタ業務・情報サービス手段５２によるＩＰ電話での通知サービス（ステップＳ４）と一部重複するサービスである。
【０２８３】
地域企業認定・提携手段５９は、地域の子育て・生活用品関連企業、ショップ等と提携企業のシステム４５を介して必要な情報通信を行い、情報の入手やその企業の認定等を行なうものであり、地域で子育て会員を支える中核となることから、強固な連携組織とするために県内から一歩踏み出し、広域の子育て支援企業・ショップを対象として範囲を拡大し、会員がこれらの情報を入手することで提携企業・ショップやそのサービスを利用し易いようにする（ステップＳ９）。
【０２８４】
これら認定企業の認定手続きとしては、企業・ショップ側の提携企業のシステム４５から「○○ＮＰＯ」のサーバ１０に対して認定企業申請を行い、サーバ１０で受け付けたその事業計画書及び申請書を審査して一定の基準を満たしたら認定し、認定証と、図１９（ａ）、（ｂ）に示すような○○ＮＰＯ認定のステッカー７６ａ、７６ｂを交付する。それらは店頭、商品に貼り付けたりして利用される。また、認定企業は認定加盟金として相応の金額を負担し、「○○ＮＰＯ」と同じ会員支援者としての責任を分担する（ステップＳ８）。
【０２８５】
これら認定提携企業・ショップは、以下のようなメリットが期待できる。
（１）企業のイメージアップ。
（２）会員対象にターゲットを絞った商品の企画・提案が可能になる。
（３）会員向けの情報誌及びＷｅｂのホームページに掲載して商品の販売が可能になる。
（４）会員対象に通販部門、店頭販売部門の展開が可能になる。
（５）新商品開発に際し、「○○ＮＰＯ」を通し会員のアンケート等の協力を得て商品を検討できるので、独自で有効な商品開発が可能になる。
（６）認定店同士の異業種交流会に参加して、それぞれのビジネスチャンスを広げられる。
（７）「○○ＮＰＯ」のＷｅｂサイト、ブログ等に広告リンクを貼ることが可能である。
（８）会員の中から人材派遣・リクルート提供手段５４を介して、必要な時に必要な人材を探し易い。
（９）県内はもとより、全国の子育て支援加盟企業と情報交換及び提携を図っているので、当該認定企業・ショップの情報も全国へ発信できる。
（１０）子育て中に関わるので、会員は末長い顧客として関係を永続できる。
（１１）「○○ＮＰＯ」が発行する情報誌に掲載、紹介することで情報発信が可能になる。
（１２）コールセンタ業務・情報サービス手段５２によるネットワーク配信型テレビ、ラジオ番組制作に際し、それに出演することで宣伝効果が上げられる。
（１３）現時点で経営が苦しくても打破できる希望が保証される。
（１４）専門家からのアドバイスが受けられる。
（１５）会員のアンケート分析結果より、認定企業は商品の開発や販売商品の絞り込みが可能になる。
【０２８６】
人材派遣・リクルート提供手段５４は、会員端末２０ｃからの申し込みにより、提携企業のシステム４５からサーバ１０に収集されたリクルート情報を基に、会員と地域の認定提携企業間で雇用促進を図ること等を行い、子育て父母のこれまでのキャリアを、子育てが理由で中断させずに、生活の状況に応じた仕事を選択できるように改善する。
【０２８７】
更に、コールセンタ業務・情報サービス手段５２により、コールセンタ業務、ネットワーク配信型テレビ、ラジオ放送企画等を活用して会員・認定企業の紹介番組等も制作し（ステップＳ１０）、運転資金捻出の一助として国内外からの観光誘致事業を大手旅行業者等と業務提携して展開運営する（ステップＳ１１）。
【０２８８】
最後に、父子・母子健康手帳管理手段５６について、詳しく説明する。
先ず、「○○ＮＰＯ」の会員になるために、利用者が所有する端末２０等を用い、Ｗｅｂブラウザにより「○○ＮＰＯ」のサーバ１０内のＷｅｂサーバにアクセスしてＷｅｂページの入力画面に必要事項を入力し、会員登録をする。会員登録を済ませた会員（利用者）は、上述したように端末２０（会員端末２０ｃ）を利用して「○○ＮＰＯ」及び関連する企業や機関が提供する様々なサービスを受けられるようになる。
【０２８９】
妊婦と認定された場合、会員は、会員端末２０ｃを用いてサーバ１０のＷｅｂサーバにアクセスし、父子又は母子健康手帳の申請手続きのための必要事項を入力しその情報をサーバ１０に送信する。申込みを受け付けたサーバ１０は、父子・母子健康手帳管理手段５６により、その情報をデータベースに保存すると共に、医療機関・行政サービス支援手段５８と連携し、行政機関のシステム４２を介して管轄の行政機関に父子又は母子健康手帳の交付申請を行い、会員への父子又は母子健康手帳の郵送の手配をしてその旨を電子メールで会員端末２０ｃに送信する。直接行政窓口へ出向いて申請し交付を受けた場合は、行政機関のシステム４２を介して行政機関から、その情報を受信してデータベースにその内容を保存する。
【０２９０】
父子又は母子健康手帳の内容はデータベースに保管され、会員が会員端末２０ｃのＷｅｂブラウザを用いて実際のイメージ通りに表示される父子又は母子健康手帳を参照することができる。父子又は母子健康手帳には、上述したように、妊婦の周産期の病歴、子の出生後の既往歴、予防接種記録、歯の状態、身長、体重、血液型等の疾病以外の健康に関する盛りだくさんの情報の記載欄があり、会員は会員端末２０ｃを用いてこれらの情報を入力し、サーバ１０に送信して会員ＤＢ１９内に保存しておくことができる。会員端末より受信して保存されたこれらの情報は、医療機関・行政サービス支援手段５８と連携し、医療機関のシステム４２を介して会員のかかりつけの医療機関とこれらの情報を共有する。
【０２９１】
父子・母子健康手帳管理手段５６は、スケジューラを有しており、会員端末２０ｃから父子又は母子健康手帳に関するアクセスがあった場合、会員ＤＢ１９に保存された父子又は母子健康手帳の記載欄に記載する日時を特定するためのスケジュール管理情報を取得し、取得したスケジュール管理情報に基づく父子又は母子健康手帳に関する必要事項を会員ＤＢ１９より取得してＷｅｂサーバと連携し父子又は母子健康手帳に記載するためのＷｅｂページを生成して会員端末にその入力画面を送信する。
【０２９２】
会員端末２０ｃよりＷｅｂサーバを介して入力情報を受信した父子・母子健康手帳管理手段５６は、その入力情報を処理してその情報が反映された父子又は母子健康手帳のイメージを生成しＷｅｂサーバを介してそのＷｅｂページを送信し会員端末２０ｃのＷｅｂブラウザ上に表示する。処理する情報には、例えば、図２０に示すような、標準身長・体重の範囲や、首すわり、寝返り、ひとりすわり、つかまり立ち、はいはい、及びひとり歩きができるようになる範囲等が表された乳児身体発育曲線のグラフ表示がある。
【０２９３】
この場合、受信した身長・体重等の情報及びデータベースに保存されているこれらの過去の情報を基にグラフを生成する必要があるが、会員端末２０ｃからの入力情報を受信する都度グラフ生成を行いＧＩＦ（Ｇｒａｐｈｉｃｓ  Ｉｎｔｅｒｃｈａｎｇｅ  Ｆｏｒｍａｔ）やＪＰＥＧ（Ｊｏｉｎｔ  Ｐｈｏｔｏｇｒａｐｈｉｃ  Ｅｘｐｅｒｔｓ  Ｇｒｏｕｐ）等のイメージデータに変換していたのでは、会員端末２０ｃへのレスポンスが遅くなり操作性に難を生じる。
【０２９４】
そのため、父子・母子健康手帳管理手段５６は、会員端末２０ｃからの情報の入力が済んだら、その時点でその入力情報を含む過去の情報と合わせたデータからグラフや図形を生成し、イメージデータに変換して会員ＤＢ１９に保存しておき、次の会員端末２０ｃからのアクセス時に会員ＤＢ１９より、保存されたその会員のイメージデータを取り出してＷｅｂページを生成し会員端末２０ｃに送信して画面出力するようにしている。入力された情報の反映は、次の入力時又は「入力結果」（図示せず）ボタン等の操作により行う。
【０２９５】
なお、各種団体や機関のシステム（４０乃至４６）は、図１０で説明したサーバ１０のハードウェアを組み合わせて実現してよい。
【０２９６】
次に、図１４を参照して、専門家情報送信処理について説明する。まず、サーバ１０は、利用者の端末から、入会申請データを受信する（ステップＳ５１）。
【０２９７】
次に、サーバ１０は、受信した入会申請データを会員ＤＢ１９に登録する（ステップＳ５２）。ここで、サーバ１０は、適宜入会申請データに基づいて当該利用者を入会させるか否かの各種審査を行ってもよい。このステップを経て、当該利用者は、登録された会員として、各種サービスを受けられるようになる。
【０２９８】
次に、サーバ１０は、各種専門家による子育てに関するアドバイスに係るビデオデータ及び各種専門家への問い合わせ先を示すデータを受信して記憶する（ステップＳ５３）。ここで、サーバ１０は、各種専門家自身のシステムからこれらのデータを受信してもよいし、「○○ＮＰＯ」を運営する管理者のシステムからこれらのデータを受信してもよい。
【０２９９】
次に、サーバ１０は、会員端末２０ｃからの要求に応じて、記憶した前記ビデオデータ及び問い合わせ先を示すデータを前記会員の端末に送信する（ステップＳ５４）。このようにして、会員は、サーバ１０が記憶したビデオデータ及び前記各種専門家への問い合わせ先を示すデータを前記会員の端末を介して閲覧することが可能となる。
【０３００】
その結果、前記会員は、前記各種専門家のアドバイスを視聴することにより子育てに関する問題を解決しつつ、更に直接前記各種専門家に問い合わせを行って個別の問題を解決することができる。
【０３０１】
次に、図１５を参照して、専門家相談実施処理について説明する。まず、サーバ１０は、会員端末２０ｃから、通訳の希望を示すデータを含む各種専門家の一に対する相談申込データを受信する（ステップＳ７１）。次に、サーバ１０は、受信した相談申込データを利用者の端末から閲覧可能に記憶する（ステップＳ７２）。
【０３０２】
次に、サーバ１０は、利用者の端末から、通訳を応諾するデータを受信したことに応じて、会員端末２０ｃと、各種専門家の一の端末と、通訳を応諾した利用者の端末と、を少なくとも接続して相談を記録しながら実施する（ステップＳ７３）。
次に、サーバ１０は、相談の当事者の端末から公開を許可するデータを受信したことに応じて、相談を記録したデータを利用者の端末から視聴可能に記憶する（ステップＳ７４）。
【０３０３】
次に、サーバ１０は、利用者の端末から、相談の内容の他国語への翻訳データを受信したことに応じて、翻訳データを利用者の端末からアクセス可能に記憶する（ステップＳ７５）。次に、サーバ１０は、利用者の端末から、相談の内容の各国の文字データを受信したことに応じて、文字データを利用者の端末からアクセス可能に記憶する（ステップＳ７６）。
【０３０４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図１】
2008099481.tif 000003
【図２】
2008099481.tif 000004
【図３】
2008099481.tif 000005
【図４】
2008099481.tif 000006
【図５】
2008099481.tif 000007
【図６】
2008099481.tif 000008
【図７】
2008099481.tif 000009
【図８】
2008099481.tif 000010
【図９】
2008099481.tif 000011
【図１０】
2008099481.tif 000012
【図１１】
2008099481.tif 000013
【図１２】
2008099481.tif 000014
【図１３】
2008099481.tif 000015
【図１４】
2008099481.tif 000016
【図１５】
2008099481.tif 000017
【図１６】
2008099481.tif 000018
【図１７】
2008099481.tif 000019
【図１８】
2008099481.tif 000020
【図１９】
2008099481.tif 000021
【図２０】
2008099481.tif 000022
【国際調査報告】
2008099481.tif 000023
2008099481.tif 000024
2008099481.tif 000025
2008099481.tif 000026